【事件の表示】
　特許第６５１２５８１号発明「放射線治療用マーカー及びその製造方法」の特許異議申立事件について、次のとおり決定する。
【結　論】
　特許第６５１２５８１号の明細書及び特許請求の範囲を訂正請求書に添付された訂正明細書及び訂正特許請求の範囲のとおり、訂正後の請求項１、２、３について訂正することを認める。
　特許第６５１２５８１号の請求項１、２、３に係る特許を維持する。
【理　由】
第１　手続の経緯
　特許第６５１２５８１号（以下「本件特許」という。）に係る出願は、平成２８年１０月１１日の出願であって、平成３１年４月１９日にその特許権の設定登録がされ（請求項の数：３、令和１年５月１５日特許掲載公報発行）、その後、その特許に対し、特許異議申立人株式会社アールポイント東京（以下「申立人」という。）より令和１年１１月１５日に特許異議の申立てがされたものである。
　以下、特許異議の申立て後の経緯を整理して示す。
令和２年１月２３日付け　取消理由通知
　　同年３月２６日　　　意見書、訂正請求書の提出（特許権者より）
　　同年５月２８日付け　訂正請求があった旨の通知
　　同年６月２９日　　　意見書の提出（申立人より）
　なお、上記訂正請求書による訂正を、以下「本件訂正」という。
第２　訂正の適否についての判断
１　訂正の内容
　本件訂正の内容は、以下の訂正事項１〜１１のとおりである（下線は訂正箇所を示すため合議体が付した。）。
（１）訂正事項１
　特許請求の範囲の請求項１に
「放射線治療の際の目印として用いるためのもの」
とあるのを
「放射線治療の際の目印として用いるための
所定幅の短冊状の
に訂正する。
（２）訂正事項２
　特許請求の範囲の請求項１に
「以下の構成をも備えていることを特徴とする放射線治療用マーカー。
（１Ａ）裏面に水溶性糊層が形成された半透明のライスペーパーで構成された基台紙の裏面側に前記水転写マークを形成すると共に、当該水転写マークの裏面側に、透明プラスチックフィルムで構成された保護シートを貼り付けた積層構造を有し、前記基台紙側からも保護シート側からも前記水転写マークを視認可能としていること。
（１Ｂ）前記保護層は透明インクを用いて前記水溶性糊層の裏面側に形成され、前記インク層は不透明インクを用いて前記保護層の内側に収まる様に当該保護層の裏面側に形成され、前記接着層は湿潤により接着性を発揮する透明樹脂インクを用いて前記インク層の裏面側に当該インク層及び前記保護層を覆う様に形成されていること。」
とあるのを、
「
前記水転写マークとして、放射線治療に際し、患者を適切な姿勢で治療用ベッドに寝かせるための目印として用いる直線状のマーク、放射線の照射範囲の境界を表す目印として用いる十字のマーク、及び、患部を特定する目印として用いる丸十字のマークのいずれか一種類のマークを備えると共に、
（１Ａ）裏面に水溶性糊層が形成された半透明のライスペーパーで構成された基台紙の裏面側に前記水転写マークを形成すると共に、当該水転写マークの裏面側に、透明プラスチックフィルムで構成された保護シートを貼り付けた積層構造を有し、前記基台紙側からも保護シート側からも前記水転写マークを視認可能としていること。
（１Ｂ）前記保護層は透明インクを用いて前記水溶性糊層の裏面側に形成され、前記インク層は不透明インクを用いて前記保護層の内側に収まる様に当該保護層の裏面側に形成され、前記接着層は湿潤により接着性を発揮する透明樹脂インクを用いて前記インク層の裏面側に当該インク層及び前記保護層を覆う様に形成されていること。
（１Ｃ）前記基台紙及び前記保護シートが同一幅・同一長さの短冊状に形成され、前記水転写マークが、直線状のマークである場合は長手方向に伸びる様に、十字又は丸十字のマークである場合は長手方向に所定間隔で複数個が並ぶ様に、形成されていること。
と訂正する。
（３）訂正事項３
　特許請求の範囲の請求項２に
「放射線治療の際の目印として用いるためのもの」
とあるのを
「放射線治療の際の目印として用いるための
所定幅の短冊状の
に訂正する。
（４）訂正事項４
　特許請求の範囲の請求項２に
「（２Ａ）裏面に水溶性糊層が形成された半透明のライスペーパーで構成された基台紙の裏面側に前記水転写マークを形成すると共に、当該水転写マークの裏面側に、透明プラスチックフィルムで構成された保護シートを貼り付けた積層構造を有していること。」
とあるのを
「（２Ａ）裏面に水溶性糊層が形成された半透明のライスペーパーで構成された基台紙の裏面側に前記水転写マークを形成すると共に、当該水転写マークの裏面側に、透明プラスチックフィルムで構成された保護シートを貼り付けた積層構造を有し
、前記基台紙側からも保護シート側からも前記水転写マークを視認可能とし
に訂正する。
（５）訂正事項５
　特許請求の範囲の請求項２に
「前記水転写マークが交点又は交差点を表すマークで構成され、」
とあるのを
「前記水転写マークが
、放射線治療に際し、放射線の照射範囲の境界を表す目印として用いる十字のマーク、又は、患部を特定する目印として用いる丸十字のマークのいずれかの
と訂正する。
（６）訂正事項６
　特許請求の範囲の請求項３に
「皮膚に転写するマーク」
とあるのを
「皮膚に転写するマーク
として、放射線治療に際し、患者を適切な姿勢で治療用ベッドに寝かせるための目印として用いる直線状のマーク、放射線の照射範囲の境界を表す目印として用いる十字のマーク、及び、患部を特定する目印として用いる丸十字のマークのいずれか一種類のマーク
と訂正する。
（７）訂正事項７
　特許請求の範囲の請求項１、２、３に
「光透過性を有する保護層」
とあるのを
「
　
と訂正する。
（８）訂正事項８
　明細書段落【０００７】を
「【０００７】
　上記目的を達成するためになされた本発明の放射線治療用マーカーは、光透過性を有する保護層、皮膚に転写するマークを表したインク層、及び皮膚に接着させる接着層が積層されてなる水転写マークを皮膚に貼り付けて放射線治療の際の目印として用いるための
所定幅の短冊状の
前記水転写マークとして、放射線治療に際し、患者を適切な姿勢で治療用ベッドに寝かせるための目印として用いる直線状のマーク、放射線の照射範囲の境界を表す目印として用いる十字のマーク、及び、患部を特定する目印として用いる丸十字のマークのいずれか一種類のマークを備えると共に、
（１Ａ）裏面に水溶性糊層が形成された半透明のライスペーパーで構成された基台紙の裏面側に前記水転写マークを形成すると共に、当該水転写マークの裏面側に、透明プラスチックフィルムで構成された保護シートを貼り付けた積層構造を有し、前記基台紙側からも保護シート側からも前記水転写マークを視認可能としていること。
（１Ｂ）前記保護層は透明インクを用いて前記水溶性糊層の裏面側に形成され、前記インク層は不透明インクを用いて前記保護層の内側に収まる様に当該保護層の裏面側に形成され、前記接着層は湿潤により接着性を発揮する透明樹脂インクを用いて前記インク層の裏面側に当該インク層及び前記保護層を覆う様に形成されていること。
（１Ｃ）前記基台紙及び前記保護シートが同一幅・同一長さの短冊状に形成され、前記水転写マークが、直線状のマークである場合は長手方向に伸びる様に、十字又は丸十字のマークである場合は長手方向に所定間隔で複数個が並ぶ様に、形成されていること。
に訂正する。
（９）訂正事項９
　明細書段落【０００９】を
「【０００９】
　上記目的を達成するためになされた本発明の放射線治療用マーカーは、光透過性を有する保護層、皮膚に転写するマークを表したインク層、及び皮膚に接着させる接着層が積層されてなる水転写マークを皮膚に貼り付けて放射線治療の際の目印として用いるための
所定幅の短冊状の
（２Ａ）裏面に水溶性糊層が形成された半透明のライスペーパーで構成された基台紙の裏面側に前記水転写マークを形成すると共に、当該水転写マークの裏面側に、透明プラスチックフィルムで構成された保護シートを貼り付けた積層構造を有し
、前記基台紙側からも保護シート側からも前記水転写マークを視認可能とし
（２Ｂ）前記保護層は透明インクを用いて前記水溶性糊層の裏面側に形成され、前記インク層は不透明インクを用いて前記保護層の内側に収まる様に当該保護層の裏面側に形成され、前記接着層は湿潤により接着性を発揮する透明樹脂インクを用いて前記インク層の裏面側に当該インク層及び前記保護層を覆う様に形成されていること。
（２Ｃ）前記基台紙及び前記保護シートが同一幅・同一長さの短冊状に形成され、前記水転写マークが
、放射線治療に際し、放射線の照射範囲の境界を表す目印として用いる十字のマーク、又は、患部を特定する目印として用いる丸十字のマークのいずれかの
（２Ｄ）前記保護シートは、前記接着層の粘着力によって貼り付けられ、当該接着層の存在しない部分では前記基台紙と分離した状態とされていること。」
に訂正する。
（１０）訂正事項１０
　明細書段落【００１１】を
「【００１１】
　上記目的を達成するためになされた本発明の放射線治療用マーカーの製造方法は、光透過性を有する保護層、皮膚に転写するマーク
として、放射線治療に際し、患者を適切な姿勢で治療用ベッドに寝かせるための目印として用いる直線状のマーク、放射線の照射範囲の境界を表す目印として用いる十字のマーク、及び、患部を特定する目印として用いる丸十字のマークのいずれか一種類のマーク
（３Ａ）台紙に半透明のライスペーパーが積層された所定サイズの複紙の前記ライスペーパー側に形成された水溶性糊層の裏面に透明インクを用いて前記インク層を覆い隠し得るサイズとなる様に前記保護層を印刷した後、不透明インクを用いて前記保護層の裏面側から当該保護層の内側に収まる様に前記インク層を印刷し、さらに、湿潤により接着性を発揮する透明樹脂インクを用いて前記インク層の裏面側から前記保護層及び前記インク層の裏面を覆う様に前記接着層を印刷する印刷工程。
（３Ｂ）前記印刷工程の後に前記複紙に印刷された水転写マークの全体を覆い隠し得るサイズの透明プラスチックフィルムを前記接着
層の裏面側に当該接着層の粘着力を利用して貼り付ける保護シート貼り付け工程。
（３Ｃ）前記保護シート貼り付け工程の後に、前記複紙から前記台紙を剥がし取った状態の所定幅の短冊状に切断する切断工程。」
に訂正する。
（１１）訂正事項１１
　明細書段落【００１２】を
「【００１２】
　本発明の放射線治療用マーカーの製造方法によれば、（３Ａ）〜（３Ｃ）の工程により、半透明のライスペーパーで構成された基台紙の裏面側に水転写マークが形成されると共に、当該水転写マークの裏面側に透明プラスチックフィルムで構成された保護シートが貼り付けられた積層構造を有する短冊状放射線治療用マーカーを製造することができる。本発明の放射線治療用マーカー
の製造方法
に訂正する。
２　訂正の目的の適否、新規事項の有無及び特許請求の範囲の拡張・変更の存否
（１）訂正事項１、３について
　訂正事項１、３に係る訂正は、「放射線治療の際の目印として用いるためのもの」である「放射線治療マーカー」に関し、訂正前の「放射線治療の際の目印として用いるためのもの」を「放射線治療の際の目印として用いるための所定幅の短冊状のもの」と技術的に限定するものであるから、特許請求の範囲の減縮を目的とする訂正に該当する。
　そして、この訂正は、訂正前の明細書段落【００２０】、【００２２】、【００２４】等の記載に基づくものであるから、本件訂正前の明細書、特許請求の範囲又は図面に記載した事項の範囲内においてしたものである。また、実質上特許請求の範囲を拡張し、又は変更するものでもない。
（２）訂正事項２について
　訂正事項２に係る訂正は、訂正前の「放射線治療用マーカー」について、「放射線治療用マーカー」が「前記水転写マークとして、放射線治療に際し、患者を適切な姿勢で治療用ベッドに寝かせるための目印として用いる直線状のマーク、放射線の照射範囲の境界を表す目印として用いる十字のマーク、及び、患部を特定する目印として用いる丸十字のマークのいずれか一種類のマークを備える」と限定するとともに、さらに、「（１Ｃ）前記基台紙及び前記保護シートが同一幅・同一長さの短冊状に形成され、前記水転写マークが、直線状のマークである場合は長手方向に伸びる様に、十字又は丸十字のマークである場合は長手方向に所定間隔で複数個が並ぶ様に、形成されていること。」という構成をも備えていると限定するものであるから、特許請求の範囲の減縮を目的とする訂正に該当する。
　そして、この訂正は、訂正前の明細書段落【００１８】、【００２０】、【００２２】、【００２４】等の記載に基づくものであるから、本件訂正前の明細書、特許請求の範囲又は図面に記載した事項の範囲内においてしたものである。また、実質上特許請求の範囲を拡張し、又は変更するものでもない。
（３）訂正事項４について
　訂正事項４に係る訂正は、訂正前の「放射線治療用マーカー」について、「放射線治療用マーカー」が、「前記基台紙側からも保護シート側からも前記水転写マークを視認可能として」いる構成をも備えていると限定するものであるから、特許請求の範囲の減縮を目的とする訂正に該当する。
　そして、この訂正は、訂正前の明細書段落【０００７】、【００１０】等の記載に基づくものであるから、本件訂正前の明細書、特許請求の範囲又は図面に記載した事項の範囲内においてしたものである。また、実質上特許請求の範囲を拡張し、又は変更するものでもない。
（４）訂正事項５について
　訂正事項５に係る訂正は、訂正前の「前記水転写マーク」である「交点又は交差点を表すマーク」について、「放射線治療に際し、放射線の照射範囲の境界を表す目印として用いる十字のマーク、又は、患部を特定する目印として用いる丸十字のマークのいずれか一種類のマーク」と具体的に限定するものであるから、特許請求の範囲の減縮を目的とする訂正に該当する。
　そして、この訂正は、訂正前の明細書段落【００１８】、【００２１】、【００２３】等の記載に基づくものであるから、本件訂正前の明細書、特許請求の範囲又は図面に記載した事項の範囲内においてしたものである。また、実質上特許請求の範囲を拡張し、又は変更するものでもない。
（５）訂正事項６について
　訂正事項６に係る訂正は、訂正前の「皮膚に転写するマーク」を、「放射線治療に際し、患者を適切な姿勢で治療用ベッドに寝かせるための目印として用いる直線状のマーク、放射線の照射範囲の境界を表す目印として用いる十字のマーク、及び、患部を特定する目印として用いる丸十字のマークのいずれか一種類のマーク」と限定するものであるから、特許請求の範囲の減縮を目的とする訂正に該当する。
　そして、この訂正は、訂正前の明細書段落【００１８】、【００２０】、【００２２】、【００２４】等の記載に基づくものであるから、本件訂正前の明細書、特許請求の範囲又は図面に記載した事項の範囲内においてしたものである。また、実質上特許請求の範囲を拡張し、又は変更するものでもない。
（６）訂正事項７について
　訂正事項７に係る訂正は、訂正前の各請求項の文頭に字下げを行い、文章を読みやすくする訂正であるから、明瞭でない記載の釈明を目的とする訂正に該当する。
　そして、この訂正の前後で記載内容に実質的な変更はないことから、この訂正は、本件訂正前の明細書、特許請求の範囲又は図面に記載した事項の範囲内においてしたものである。また、実質上特許請求の範囲を拡張し、又は変更するものでもない。
（７）訂正事項８〜１０について
　訂正事項８〜１０に係る訂正は、訂正事項１〜６に係る訂正に伴って、特許請求の範囲の記載と発明の詳細な説明の記載との整合を図るための訂正であるから、明瞭でない記載の釈明を目的とするものである。
　そして、訂正事項８〜１０に係る訂正は、上記（１）〜（５）で示した理由と同様の理由により、本件訂正前の明細書、特許請求の範囲又は図面に記載した事項の範囲内においてしたものである。また、実質上特許請求の範囲を拡張し、又は変更するものでもない。
　そして、訂正事項８は請求項１を対象とするものであり、訂正事項９は請求項２を対象とするものであり、訂正事項１０は請求項３を対象とするものである。
（８）訂正事項１１について
　訂正事項１１は、明細書段落【００１２】における訂正前の「本発明の放射線治療用マーカーによれば、」の記載を、同段落冒頭の「本発明の放射線治療用マーカーの製造方法によれば、」の記載と整合させるために、「本発明の放射線治療用マーカーの製造方法によれば、」と訂正するものであるから、明瞭でない記載の釈明を目的とするものである。
　そして、この訂正は、訂正前の明細書段落【００１２】冒頭の記載に基づくものであるから、本件訂正前の明細書、特許請求の範囲又は図面に記載した事項の範囲内においてしたものである。また、実質上特許請求の範囲を拡張し、又は変更するものでもない。
　そして、訂正事項１１は請求項３を対象とするものである。
３　申立人の主張について
　申立人は、本件訂正につき、令和２年６月２９日提出の意見書において概ね次のような主張をしている。
（主張１）
　請求項１に「前記水転写マークとして、放射線治療に際し、患者を適切な姿勢で治療用ベッドに寝かせるための目印として用いる直線状のマーク、放射線の照射範囲の境界を表す目印として用いる十字のマーク、及び、患部を特定する目印として用いる丸十字のマークのいずれか一種類のマークを備える」事項が追加されたが、この記載では、「直線状のマーク」、「十字のマーク」、「丸十字のマーク」の３種のマークを併合的に備えるのか、択一的に備えるのか一義的に理解することができないので、訂正後の請求項１に係る発明は明確でなく、請求項１に係る訂正は認められるべきではない。
（主張２）
　転写するマークとして、「患者を適切な姿勢で治療用ベッドに寝かせるための目印として用いる直線状のマーク、放射線の照射範囲の境界を表す目印として用いる十字のマーク、及び、患部を特定する目印として用いる丸十字のマークのいずれか一種類のマーク」なる事項が追加された訂正後の請求項３に係る発明も同様に明確でなく、請求項３に係る訂正は認められるべきではない。
　しかしながら、本件異議申立事件については、訂正前の全ての請求項１〜３について特許異議申立てがされているので、特許請求の範囲の減縮を目的とする訂正前の請求項１〜３に係る訂正に関して、特許法第１２０条の５第９項で読み替えて準用する特許法第１２６条第７項の独立特許要件は課されない。そうすると、訂正後の請求項１、３に係る発明が明確でないという上記の各主張は、訂正に求められる要件のいずれとも関係しないため、当を得たものではなく、本件訂正についての訂正の適否の判断を左右するものではない。
　なお、上記の主張１、２が本件訂正により生じた新たな取消理由を主張するものであるとしても、以下に示すとおりいずれも採用できない。
（主張１について）
　本件訂正後の請求項１における「前記水転写マークとして、放射線治療に際し、患者を適切な姿勢で治療用ベッドに寝かせるための目印として用いる直線状のマーク、放射線の照射範囲の境界を表す目印として用いる十字のマーク、及び、患部を特定する目印として用いる丸十字のマークのいずれか一種類のマークを備える」「放射線治療用マーカー」の記載を日本語として自然に解釈すれば、本件訂正後の請求項１に係る発明の「放射線治療用マーカー」が、直線状のマーク、十字のマーク、及び丸十字のマークという３つの選択肢のうちから選択された一種類のマークを備える「放射線治療用マーカー」であると、普通に理解できるところであるから、本件訂正後の請求項１に係る発明が不明確であるとはいえない。
（主張２について）
　同様に、本件訂正後の請求項３における「皮膚に転写するマークとして、放射線治療に際し、患者を適切な姿勢で治療用ベッドに寝かせるための目印として用いる直線状のマーク、放射線の照射範囲の境界を表す目印として用いる十字のマーク、及び、患部を特定する目印として用いる丸十字のマークのいずれか一種類のマークを表したインク層」の記載を日本語として自然に解釈すれば、本件訂正後の請求項３に係る発明の「インク層」が、直線状のマーク、十字のマーク、及び丸十字のマークという３つの選択肢のうちから選択された一種類のマークを表す「インク層」であると、普通に理解できるところであるから、本件訂正後の請求項３に係る発明が不明確であるとはいえない。
４　まとめ
　以上のとおりであるから、本件訂正は、特許法第１２０条の５第２項ただし書第１号又は第３号に規定する事項を目的とするものであり、かつ、同条第９項において準用する同法第１２６条第４項、第５項及び第６項の規定に適合するので、訂正後の請求項１、２、３について訂正することを認める。
第３　本件発明
　上記のとおり本件訂正は認められるので、本件特許の請求項１〜３に係る発明（以下、それぞれ請求項に対応して「本件発明１」などという。）は、令和２年３月２６日提出の訂正請求書に添付した訂正特許請求の範囲の請求項１〜３に記載された事項により特定される次のとおりのものである。
「【請求項１】
　光透過性を有する保護層、皮膚に転写するマークを表したインク層、及び皮膚に接着させる接着層が積層されてなる水転写マークを皮膚に貼り付けて放射線治療の際の目印として用いるための所定幅の短冊状のものであって、前記水転写マークとして、放射線治療に際し、患者を適切な姿勢で治療用ベッドに寝かせるための目印として用いる直線状のマーク、放射線の照射範囲の境界を表す目印として用いる十字のマーク、及び、患部を特定する目印として用いる丸十字のマークのいずれか一種類のマークを備えると共に、以下の構成をも備えていることを特徴とする放射線治療用マーカー。
（１Ａ）裏面に水溶性糊層が形成された半透明のライスペーパーで構成された基台紙の裏面側に前記水転写マークを形成すると共に、当該水転写マークの裏面側に、透明プラスチックフィルムで構成された保護シートを貼り付けた積層構造を有し、前記基台紙側からも保護シート側からも前記水転写マークを視認可能としていること。
（１Ｂ）前記保護層は透明インクを用いて前記水溶性糊層の裏面側に形成され、前記インク層は不透明インクを用いて前記保護層の内側に収まる様に当該保護層の裏面側に形成され、前記接着層は湿潤により接着性を発揮する透明樹脂インクを用いて前記インク層の裏面側に当該インク層及び前記保護層を覆う様に形成されていること。
（１Ｃ）前記基台紙及び前記保護シートが同一幅・同一長さの短冊状に形成され、前記水転写マークが、直線状のマークである場合は長手方向に伸びる様に、十字又は丸十字のマークである場合は長手方向に所定間隔で複数個が並ぶ様に、形成されていること。
【請求項２】
　光透過性を有する保護層、皮膚に転写するマークを表したインク層、及び皮膚に接着させる接着層が積層されてなる水転写マークを皮膚に貼り付けて放射線治療の際の目印として用いるための所定幅の短冊状のものであって、以下の構成をも備えていることを特徴とする放射線治療用マーカー。
（２Ａ）裏面に水溶性糊層が形成された半透明のライスペーパーで構成された基台紙の裏面側に前記水転写マークを形成すると共に、当該水転写マークの裏面側に、透明プラスチックフィルムで構成された保護シートを貼り付けた積層構造を有し、前記基台紙側からも保護シート側からも前記水転写マークを視認可能としていること。
（２Ｂ）前記保護層は透明インクを用いて前記水溶性糊層の裏面側に形成され、前記インク層は不透明インクを用いて前記保護層の内側に収まる様に当該保護層の裏面側に形成され、前記接着層は湿潤により接着性を発揮する透明樹脂インクを用いて前記インク層の裏面側に当該インク層及び前記保護層を覆う様に形成されていること。
（２Ｃ）前記基台紙及び前記保護シートが同一幅・同一長さの短冊状に形成され、前記水転写マークが、放射線治療に際し、放射線の照射範囲の境界を表す目印として用いる十字のマーク、又は、患部を特定する目印として用いる丸十字のマークのいずれかのマークで構成され、当該水転写マークが、前記基台紙の幅方向一方側に偏って長手方向に所定間隔で並ぶ様に複数個形成されていること。
（２Ｄ）前記保護シートは、前記接着層の粘着力によって貼り付けられ、当該接着層の存在しない部分では前記基台紙と分離した状態とされていること。
【請求項３】
　光透過性を有する保護層、皮膚に転写するマークとして、放射線治療に際し、患者を適切な姿勢で治療用ベッドに寝かせるための目印として用いる直線状のマーク、放射線の照射範囲の境界を表す目印として用いる十字のマーク、及び、患部を特定する目印として用いる丸十字のマークのいずれか一種類のマークを表したインク層、及び皮膚に接着させる接着層が積層されてなる水転写マークを皮膚に貼り付けて放射線治療の際の目印として用いるための放射線治療用マーカーの製造方法であって、以下の工程から構成されることを特徴とする放射線治療用マーカーの製造方法。
（３Ａ）台紙に半透明のライスペーパーが積層された所定サイズの複紙の前記ライスペーパー側に形成された水溶性糊層の裏面に透明インクを用いて前記インク層を覆い隠し得るサイズとなる様に前記保護層を印刷した後、不透明インクを用いて前記保護層の裏面側から当該保護層の内側に収まる様に前記インク層を印刷し、さらに、湿潤により接着性を発揮する透明樹脂インクを用いて前記インク層の裏面側から前記保護層及び前記インク層の裏面を覆う様に前記接着層を印刷する印刷工程。
（３Ｂ）前記印刷工程の後に前記複紙に印刷された水転写マークの全体を覆い隠し得るサイズの透明プラスチックフィルムを前記接着層の裏面側に当該接着層の粘着力を利用して貼り付ける保護シート貼り付け工程。
（３Ｃ）前記保護シート貼り付け工程の後に、前記複紙から前記台紙を剥がし取った状態の所定幅の短冊状に切断する切断工程。」
第４　取消理由の概要
　令和２年１月２３日付け取消理由通知により通知された取消理由は、概略次のとおりである。
　本件発明１〜３は、本件特許出願前に日本国内又は外国において頒布された又は電気通信回線を通じて公衆に利用可能となった下記の文献１に記載された発明及び文献２〜７に記載された周知技術に基いて、その出願前にその発明の属する技術の分野における通常の知識を有する者が容易に発明をすることができたものであるから、特許法第２９条第２項の規定により特許を受けることができない。
　　　　　　　　　　　　　　　　記
文献１：特許第５８０５９０１号公報（申立人の提出した甲第１号証、以下「甲１」という。）
文献２：特開２０１５−０２９９０７号公報（同甲第２号証、以下「甲２」という。）
文献３：特開２０１６−１７４８７９号公報（同甲第３号証、以下「甲３」という。）
文献４：特開２０００−３４２６０１号公報（同甲第４号証、以下「甲４」という。）
文献５：特開２００２−２６４５９０号公報（同甲第５号証、以下「甲５」という。）
文献６：特公昭４７−１２６５０号公報（当審で提示した周知例）
文献７：特開平１０−２６４５９６号公報（当審で提示した周知例）
第５　取消理由通知で通知された取消理由についての検討
１　各文献に記載された事項　
（１）甲１
　甲１には、【請求項１】、【請求項４】、【０００１】〜【００５１】の記載があり、【図１】〜【図２】の図示がある。
　これらの記載及び図示を参照すれば、甲１の記載内容につき次の事項を認めることができる。
ア）皮膚シール１は、ベース材２とセパレータ３との間に、弾性層６、インキ層７及び粘着剤層８が互いに積層されてなる状態で設けられている（【００２２】）。また、インキ層７は、皮膚に転写する肌色の網点を印刷した層である（【０００７】、【００２７】）。
　そこで、これらの弾性層６、インキ層７及び粘着剤層８を、以下“転写マーク”と称すれば、この転写マークは、皮膚に貼り付けるものであり、また、皮膚のシミ等を隠すために用いるものである（【０００１】、【００１１】）。
イ）弾性層６は、透明である（【００３１】）。
ウ）皮膚シール１におけるベース材２側を“表面側”と、また、セパレータ３側を“裏面側”と以下称すれば、皮膚シール１は、ベース材２の裏面側に前記転写マークを形成するものであって、当該転写マークの裏面側にセパレータ３を貼り付けた積層構造を有する（【図１】（ｂ））。
エ）ベース材２は、光透過性のプラスチックフィルムで構成され（【００２３】、【００２４】）、皮膚シール１は、ベース材２側からインキ層７を含む転写マークを認識可能である（【００４８】）。
　また、セパレータ３は、プラスチックフィルムで構成され、光透過性であっても良い（【００４７】、【００２３】）。
　さらに、「セパレータ３は光透過性であっても、あるいは不光透過性であっても良い。しかしながら、本実施形態ではベース材２を光透過性にしているので、皮膚シール１の表裏を使用者に容易に分からせるようにするために、セパレータ３を不光透過性、望ましくは白色半透明又は白色不透明とすることが望ましい。」（【００４７】）の記載によれば、セパレータ３が光透過性のセパレータであると、皮膚シール１表裏の判別が困難となるほどに、セパレータ３側からインキ層（転写マーク）が視認可能といえる。
オ）弾性層６は、透明な樹脂を用いてベース材２の裏面側に印刷して形成される（【図１】（ｂ）、【００３１】）。
　また、インキ層７は、弾性層６の内側に収まる様にその裏面側に形成される（【図１】（ａ）（ｂ））。
カ）粘着剤層８には樹脂が用いられる（【００４０】）。
　また、上記エ）のとおり、セパレータ３をベース材２と同様の光透過性とすると、皮膚シール１表裏の判別が困難となるほどに、セパレータ３側からインキ層（転写マーク）を視認可能なことから、粘着剤層８も、インキ層の視認を妨げない程度に透明といえる。
　さらに、粘着剤層８は、インキ層７の裏面側に当該インキ層７及び前記弾性層６を覆うように印刷して形成される（【図１】（ｂ）、【００４３】）。
キ）セパレータ３は、粘着剤層８に粘着力によって貼り付けられ、当該粘着剤層８の存在しない部分では前記ベース材２と分離した状態とされている（【図１】（ｂ）、【００５０】）。
ク）上記ア）〜キ）のとおり、皮膚シール１は、幾つかの工程を経て製造されるものといえる。
ケ）上記ク）の工程には、次の工程が含まれる。
　弾性層６を、透明な樹脂を用いてベース材２の裏面側に印刷する工程（【００３１】、【図１】（ｂ））。その後、インキ層７を、弾性層６の裏面側に印刷する工程（【００２７】、【図１】（ｂ））。
　ここで、弾性層６は、インキ層７を覆い隠し得るサイズとなる様に印刷され、また、インキ層７は、弾性層６の内側に収まる様に印刷される（【図１】（ａ）（ｂ））。
コ）上記ク）の工程には、次の工程が含まれる。
　粘着剤層８を、インキ層７の裏面側から前記弾性層６及び前記インキ層７の裏面を覆う様に印刷する印刷工程（【００４０】、【００４３】、【図１】（ｂ））。
　ここで、上記カ）のとおり、粘着剤層８には透明な樹脂が用いられる。
サ）上記ウ）、エ）、キ）から、上記ク）の工程には、次の工程が含まれる。
　前記印刷工程の後に印刷工程の後に光透過性のプラスチックフィルムで構成されたセパレータ３を前記粘着剤層８の裏面側に当該粘着剤層８の粘着力を利用して貼り付けるセパレータ３の貼り付け工程。
　ここで、セパレータ３は、ベース材２に印刷された転写マークの全体を覆い隠し得るサイズである（図１（ｂ））。
　以上によれば、甲１には、次の各発明が記載されている。
「透明な弾性層６、皮膚に転写する肌色の網点を表したインキ層７、及び粘着剤層８が積層されてなる転写マークを皮膚に貼り付けてシミ等を隠すために用いるものであって、以下の構成をも備えている皮膚シール１。
（１Ａ）光透過性のプラスチックフィルムで構成されたベース材２の裏面側に前記転写マークを形成すると共に、当該転写マークの裏面側に、光透過性のプラスチックフィルムで構成されたセパレータ３を貼り付けた積層構造を有し、前記ベース材２からもセパレータ３側からも前記転写マークを視認可能としていること。
（１Ｂ）前記弾性層６は透明な樹脂を用いて前記ベース材２の裏面側に印刷して形成され、前記インキ層７は前記弾性層６の内側に収まる様に当該弾性層６の裏面側に印刷され、前記粘着剤層８は透明な樹脂を用いて前記インキ層７の裏面側に当該インキ層７及び前記弾性層６を覆う様に印刷して形成されていること。」（以下「甲１発明Ａ」という。）
「透明な弾性層６、皮膚に転写する肌色の網点を表したインキ層７、及び粘着剤層８が積層されてなる転写マークを皮膚に貼り付けてシミ等を隠すために用いるものであって、以下の構成をも備えている皮膚シール１。
（２Ａ）光透過性のプラスチックフィルムで構成されたベース材２の裏面側に前記転写マークを形成すると共に、当該転写マークの裏面側に、光透過性のプラスチックフィルムで構成されたセパレータ３を貼り付けた積層構造を有し、前記ベース材２からもセパレータ３側からも前記転写マークを視認可能としていること。
（２Ｂ）前記弾性層６は透明な樹脂を用いて前記ベース材２の裏面側に印刷して形成され、前記インキ層７は前記弾性層６の内側に収まる様に当該弾性層６の裏面側に印刷され、前記粘着剤層８は透明な樹脂を用いて前記インキ層７の裏面側に当該インキ層７及び前記弾性層６を覆う様に印刷して形成されていること。
（２Ｄ）前記セパレータ３は、粘着剤層８に粘着力によって貼り付けられ、当該粘着剤層８の存在しない部分では前記ベース材２と分離した状態とされていること。」（以下「甲１発明Ｂ」という。）
「透明な弾性層６、皮膚に転写する肌色の網点を表したインキ層７、及び粘着剤層８が積層されてなる転写マークを皮膚に貼り付けてシミ等を隠すために用いるための皮膚シール１の製造方法であって、以下の工程から構成される皮膚シール１の製造方法。
（３Ａ）光透過性のプラスチックフィルムで構成されたベース材２の裏面に透明な樹脂を用いてインキ層７を覆い隠し得るサイズとなる様に前記弾性層６を印刷した後、前記弾性層６の裏面側から当該弾性層６の内側に収まる様に前記インキ層を印刷し、さらに、透明な樹脂を用いて前記インキ層７の裏面側から前記弾性層６及び前記インキ層７の裏面を覆う様に前記粘着剤層８を印刷する印刷工程。
（３Ｂ）前記印刷工程の後にベース材２に印刷された転写マークの全体を覆い隠し得るサイズの光透過性のプラスチックフィルムで構成されたセパレータ３を前記粘着剤層８の裏面側に当該粘着剤層８の粘着力を利用して貼り付けるセパレータ３の貼り付け工程。」（以下「甲１発明Ｃ」という。）
（２）甲２
　甲２には、次の記載がある（下線は、理解の一助のために当審が付与したものである。以下同じ。）。
甲２ａ：「【０００１】
　本発明は、転写可能な美容部材に関する。」
甲２ｂ：「【００４９】
　次に、図７Ａないし図７Ｂに示したように、転写可能な美容部材１００を身体２００（例えば、目尻）に密着させる。以前段階で、粘着成分１１９が添加されたデザイン層１１０または別途の粘着層１４０が露出された状態なので、デザイン層１１０を身体２００に粘着させることができる。この際、離型層１２０は、ドライトランスファー（ｄｒｙ　ｔｒａｎｓｆｅｒ）方式または
ウォータートランスファー（ｗａｔｅｒ　ｔｒａｎｓｆｅｒ）方式で身体２００に転写されうる。
（３）甲３
　甲３には、次の記載がある。
甲３ａ：「【技術分野】
【０００１】
　本発明は、装飾用、
医療用などに使用可能な転写シール
【背景技術】
【０００２】
　転写シールは物品の表面や皮膚の表面に絵柄を付す装飾用に使用されていたが、最近では医療用にも使用されるようになっている。例えば、
放射線治療において、予め患者の放射線を照射する部位の皮膚表面に転写シールを使用してマークを転写しておき
（４）甲４
　甲４には、次の記載がある。
甲４ａ：【０００１】
【発明の属する技術分野】本発明は、患者の皮膚にライン等のマークを記入して、例えば
放射線治療の際の目印としたり、放射線治療以外の治療における目印とするための治療用マーカー
甲４ｂ：「【００１３】この放射線治療用ラインマーカー１を使用するに当たっては、まず、保護紙１３を剥がした後に、患者の患部の皮膚に対して、基台紙３の表面に印刷されているライン３にて位置を合わせながら接着層１１を押し付ける様に基台紙５を貼り付ける。そして、
この状態において、水を含ませた脱脂綿や霧吹き等によって基台紙５に水分を十分に含ませる。すると、基台紙５にコーティングされている水溶性の糊が溶けて保護シート層７が基台紙５から剥がれ易くなると共に、接着層１１が患者の皮膚に対してしっかりと接着する。
（５）甲５
　甲５には、次の記載がある。
甲５ａ：「【０００１】
【発明の属する技術分野】本発明は主に電子写真及び印刷されたものの有色布地等への転写用途に関するものである。」
甲５ｂ：「【０００４】
【課題を解決するための手段】
陶磁器用転写複紙、厚紙の上に剥がせる薄紙（ライスペーパー）が有り、更に薄紙上に水溶性樹脂が塗布された構造の用紙を利用し、
甲５ｃ：「【０００８】厚紙上に剥がせる薄紙（ライスペーパー）を持つ構造のため、不要な画像を除去するための切り込みが容易で、フリーハンド及びカッター用機器でも簡単に切り込み作業を行う事ができ、除去作業も容易にできた。」
（６）文献６
　文献６には、次の記載がある。
６ａ：「窯業用転写紙として古くから使われてきたものに、ライスペーパーを用いた貼り転写紙や吸水性台紙から水中で糊料をとかし絵柄を摺動させて器物に貼りつけろ水貼り転写紙等があるが、それぞれ一長一短がある。
　すなわち、貼り転写紙は
ライスペーパーの透明性がよい
（７）文献７
　文献７には、次の記載がある。
７ａ：「【００５０】さらに、新版印刷事典（日本印刷学会編  大蔵省印刷局）の
透明紙の項には、『薄くて透明な筆記用紙の一種。
【００５１】紙パルプ技術便覧（１９８２年　紙パルプ技術協会）によれば、『
薄葉の総称で、辞典用紙、ライスペーパー
２　本件発明１について
２−１　対比
　本件発明１（前者）と甲１発明Ａ（後者）とを対比する。
ア）後者の「透明な弾性層６」は、その機能等からみて前者の「光透過性を有する保護層」に相当し、また、同様に、「肌色の網点」は「マーク」に、「インキ層７」は「インク層」に「粘着剤層８」は「皮膚に接着させる接着層」に、それぞれ相当する。
　また、後者の「転写マーク」は、“転写マーク”である点で前者の「水転写マーク」と共通し、後者の「シミ等を隠すために用いる」「皮膚シール１」は、“皮膚用シール”である点で前者の「放射線治療の際の目印として用いるための」「放射線治療用マーカー」と共通する。
イ）後者の「光透過性のプラスチックフィルムで構成されたベース材２」は、“ベース部材”である点で、前者の「裏面に水溶性糊層が形成された半透明のライスペーパーで構成された基台紙」と共通する。
　また、後者の「光透過性のプラスチックフィルムで構成されたセパレータ３」は、前者の「透明プラスチックフィルムで構成された保護シート」に相当する。
ウ）後者の「弾性層６」、「粘着剤層８」はいずれも、「透明な樹脂を用いて・・・印刷して形成され」るのであるから、透明なインク又は透明な樹脂インクを用いて形成されることは技術的に明らかである。
　また、後者の「インキ層７」は、「皮膚に転写する肌色の網点を表したインキ層７」であるから、肌色のインク、即ち不透明なインクを用いて形成される層であることも明らかである。
　そうすると、後者の「弾性層６は透明な樹脂を用いて」は、前者の「保護層は透明インクを用いて」に相当し、また、後者の「インキ層７は前記弾性層６の内側に収まる様に当該弾性層６の裏面側に印刷され、前記粘着剤層８は透明な樹脂を用いて前記インキ層７の裏面側に当該インキ層７及び前記弾性層６を覆う様に印刷して形成されていること」は、前者の「インク層は不透明インクを用いて前記保護層の内側に収まる様に当該保護層の裏面側に形成され、前記接着層は」「透明樹脂インクを用いて前記インク層の裏面側に当該インク層及び前記保護層を覆う様に形成されていること」に相当する。
　よって、両者は、
「光透過性を有する保護層、皮膚に転写するマークを表したインク層、及び皮膚に接着させる接着層が積層されてなる転写マークを皮膚に貼り付けて用いるためのものであって、以下の構成をも備えている皮膚用シール。
（１Ａ）ベース部材の裏面側に前記転写マークを形成すると共に、当該転写マークの裏面側に、透明プラスチックフィルムで構成された保護シートを貼り付けた積層構造を有し、前記ベース部材側からも保護シート側からも前記転写マークを視認可能としていること。
（１Ｂ）前記保護層は透明インクを用いて前記ベース部材の裏面側に形成され、前記インク層は不透明インクを用いて前記保護層の内側に収まる様に当該保護層の裏面側に形成され、前記接着層は透明樹脂インクを用いて前記インク層の裏面側に当該インク層及び前記保護層を覆う様に形成されていること。」
の点で一致し、次の各点で相違する。
（相違点１）
　本件発明１では、皮膚用シールが、
i）「放射線治療の際の目印として用いるための所定幅の短冊状の」「放射線治療用マーカー」であり、
ii）転写マークとして、「放射線治療に際し、患者を適切な姿勢で治療用ベッドに寝かせるための目印として用いる直線状のマーク、放射線の照射範囲の境界を表す目印として用いる十字のマーク、及び、患部を特定する目印として用いる丸十字のマークのいずれか一種類のマークを備えると共に」、その転写マークが、「直線状のマークである場合は長手方向に伸びる様に、十字又は丸十字のマークである場合は長手方向に所定間隔で複数個が並ぶ様に、形成されている」ことをも備えているのに対し、甲１発明Ａでは、皮膚用シールが、皮膚に貼り付けてシミ等を隠すために用いる皮膚シールであり、そのため、転写マークとして、直線状のマーク、十字のマーク、及び、丸十字のマークのいずれをも備えるものではなく、さらに、その形状についても「所定幅の短冊状」とまでの特定のない点。
（相違点２）
　転写マークの転写タイプに関し、本件発明１では、転写マークが「水転写マーク」であり、そのため、ベース部材が「裏面に水溶性糊層が形成された半透明のライスペーパーで構成された基台紙」であり、「保護層は」「前記水溶性糊層の裏面側に形成され」、また、「接着層は湿潤により接着性を発揮する」のに対し、甲１発明Ａでは、転写マークが水転写によらないタイプの転写マークであり、そのため、ベース部材は、プラスチックフィルムで構成されたものであって、「裏面に水溶性糊層が形成された半透明のライスペーパーで構成された基台紙」ではなく、弾性層は「前記水溶性糊層の裏面側に形成され」るものではなく、また、「接着層は湿潤により接着性を発揮する」ものでもない点。
（相違点３）
　本件発明１では、基台紙及び保護シートが、「同一幅・同一長さの短冊状に形成され」ているのに対し、甲１発明Ａでは、ベース材及びセパレータについて、「同一幅・同一長さの短冊状に形成され」とまでの特定のない点。
２−２　判断
　事案に鑑み、相違点２について検討する。
（１）「水転写マーク」について
　甲１における「 本発明によれば、セパレータを当該セパレータに接触している層から剥離するための力をＰ１とし、剥離剤層にベース材の反対側で接触している層（例えば弾性層）から当該剥離剤層を剥離するための力をＰ２とし、粘着剤層を皮膚から剥離するための力をＰ３とするとき、Ｐ１＜Ｐ２＜Ｐ３である。このため、皮膚シールを粘着タイプの皮膚シール、すなわち水転写タイプではない皮膚シールとすることができる。」（【００１８】）の記載によれば、甲１発明Ａは、皮膚シールを水転写タイプではないシールとすることを特徴とするものであり、甲１における他の記載をみても、甲１発明Ａを水転写タイプのシールとして用いる点に関する記載や示唆はない。
　そうすると、仮に、水転写タイプのシールが甲２（上記摘記事項甲２ｂ参照）、甲４（上記摘記事項甲４ｂ参照）、甲５（上記摘記事項甲５ｂ参照）に開示されるように周知の技術であったとしても、甲１発明Ａにおける転写マーク、即ち、「弾性層６」、「インキ層７」及び「粘着剤層８」を「水転写マーク」に変更すべき動機付けは見当たらない。
（２）「裏面に水溶性糊層が形成された半透明のライスペーパーで構成された基台紙」について
　甲１には、甲１発明Ａにおける「光透過性のプラスチックフィルムで構成されたベース材２」を「裏面に水溶性糊層が形成された半透明のライスペーパーで構成された基台紙」に変更する点に関し、記載も示唆もない。
　他方、甲５には、「陶磁器用転写複紙、厚紙の上に剥がせる薄紙（ライスペーパー）が有り、更に薄紙上に水溶性樹脂が塗布された構造の用紙を利用し、電子写真を出力もしくは印刷された面の画像（トナー・インク）を壊さない程度に溶解性を有するよう調整された溶剤で希釈された樹脂を塗布し、更に白色樹脂及び接着性を有する樹脂を混合または個別に塗布、もしくはフィルム状にしたものを貼付して転写する方法とした。」（上記摘記事項甲５ｂ）と、水溶性樹脂が塗布されたライスペーパーが記載され、また、ライスペーパーは半透明といえるもの（文献６の摘記事項６ａ、文献７の上記摘記事項７ａ参照）ではあるが、甲５に記載のライスペーパーは、「電子写真及び印刷されたものの有色布地等への転写用途」（上記摘記事項甲５ａ）に係るものであって、甲１発明Ａとは、その技術分野においても、転写のためのシールの積層構造においても共通するところはない。
　そうすると、甲５を参照しても、甲１発明Ａにおける「光透過性のプラスチックフィルムで構成されたベース材２」を「裏面に水溶性糊層が形成された半透明のライスペーパーで構成された基台紙」に変更すべき動機付けは見当たらない。
（３）「湿潤により接着性を発揮する」「接着層」について
　「湿潤により接着性を発揮する」「接着層」が甲４（上記摘記事項甲４ｂ参照）に示されるように周知であったとしても、甲１発明Ａは、水転写タイプではないのであるから、甲１発明Ａの「粘着剤層８」を「湿潤により接着性を発揮する」「接着層」に変更すべき動機付けは見当たらない。
（４）相違点２についてのまとめ
　さらに、甲３をみても、相違点２に係る本件発明１の特定事項についての記載はない。
　よって、相違点２に係る本件発明１の特定事項は、甲１発明Ａ並びに甲２〜５及び文献６〜７に記載の周知技術に基いて当業者が容易に想到することができたものとはいえない。
　そして、本件発明１は、相違点２に係る上記の「水転写マーク」及び「裏面に水溶性糊層が形成された半透明のライスペーパーで構成された基台紙」に加え、「透明プラスチックフィルムで構成された保護シート」を具備することにより、「使用に当たって患者の皮膚に押し付けたときの密着性に支障を来すことがなく、保管中の損傷の恐れも低減することができ、さらに、正確なマーキングが可能でマークの種類の把握も容易な放射線治療用マーカーを提供することができる。」（明細書【００１５】）という特有の作用効果を奏するものである。
２−３　まとめ
　よって、他の相違点について検討するまでもなく、本件発明１は、甲１発明Ａ並びに甲２〜５及び文献６〜７に記載の周知技術に基いて当業者が容易に発明をすることができたものとはいえない。
３　本件発明２について
３−１　対比
　上記「２−１　対比」での検討を踏まえつつ、本件発明２と甲１発明Ｂとを対比すると、両者は、
「光透過性を有する保護層、皮膚に転写するマークを表したインク層、及び皮膚に接着させる接着層が積層されてなる転写マークを皮膚に貼り付けて用いるためのものであって、以下の構成をも備えている皮膚用シール。
（２Ａ）ベース部材の裏面側に前記転写マークを形成すると共に、当該転写マークの裏面側に、透明プラスチックフィルムで構成された保護シートを貼り付けた積層構造を有し、前記ベース部材側からも保護シート側からも前記転写マークを視認可能としていること。
（２Ｂ）前記保護層は透明インクを用いて前記ベース材の裏面側に形成され、前記インク層は不透明インクを用いて前記保護層の内側に収まる様に当該保護層の裏面側に形成され、前記接着層は透明樹脂インクを用いて前記インク層の裏面側に当該インク層及び前記保護層を覆う様に形成されていること。
（２Ｄ）前記保護シートは、前記接着層の粘着力によって貼り付けられ、当該接着層の存在しない部分では前記ベース部材と分離した状態とされていること。」
の点で一致し、次の各点で相違する。
（相違点１’）
　本件発明２では、皮膚用シールが、
i）「放射線治療の際の目印として用いるための所定幅の短冊状の」「放射線治療用マーカー」であり、
ii）転写マークが、「放射線治療に際し、放射線の照射範囲の境界を表す目印として用いる十字のマーク、又は、患部を特定する目印として用いる丸十字のマークのいずれかのマークで構成され」、その転写マークが、「基台紙の幅方向一方側に偏って長手方向に所定間隔で並ぶ様に複数個形成されていること」をも備えているのに対し、甲１発明Ｂでは、皮膚用シールが、皮膚に貼り付けてシミ等を隠すために用いる皮膚シールであり、そのため、転写マークとして、十字のマーク、丸十字のマークのいずれをも備えるものではなく、さらに、その形状についても「所定幅の短冊状」とまでの特定のない点。
（相違点２’）
　転写マークの転写タイプに関し、本件発明２では、転写マークが「水転写マーク」であり、そのため、ベース部材が「裏面に水溶性糊層が形成された半透明のライスペーパーで構成された基台紙」であり、「保護層は」「前記水溶性糊層の裏面側に形成され」、「接着層は湿潤により接着性を発揮」し、さらに、「保護シートは」「接着層の存在しない部分では前記基台紙と分離した状態とされている」のに対し、甲１発明Ｂでは、転写マークが水転写によらないタイプの転写マークであり、そのため、ベース部材は、プラスチックフィルムで構成されたものであって、「裏面に水溶性糊層が形成された半透明のライスペーパーで構成された基台紙」ではなく、弾性層は「前記水溶性糊層の裏面側に形成され」るものではなく、また、「接着層は湿潤により接着性を発揮する」ものでもなく、さらに、セパレータは「接着層の存在しない部分では前記基台紙と分離した状態とされている」ともいえない点。
（相違点３’）
　本件発明２では、基台紙及び保護シートが、「同一幅・同一長さの短冊状に形成され」ているのに対し、甲１発明Ｂでは、ベース材２及びセパレータ３について、「同一幅・同一長さの短冊状に形成され」とまでの特定のない点。
３−２　判断
　事案に鑑み相違点２’について検討するに、甲１発明Ｂにおける転写マーク、即ち、「弾性層６」、「インキ層７」及び「粘着剤層８」を「水転写マーク」に変更すること、また、甲１発明Ｂにおける「光透過性のプラスチックフィルムで構成されたベース材２」を「裏面に水溶性糊層が形成された半透明のライスペーパーで構成された基台紙」に変更することについて動機付けが見当たらないことは、上記「２−２　判断」にて示したとおりである。
　そうすると、上記「２−２　判断」にて示した理由と同様の理由により、相違点２’に係る本件発明２の特定事項は、甲１発明Ｂ並びに甲２〜５及び文献６〜７に記載の周知技術に基いて当業者が容易に想到することができたものとはいえない。
３−３　まとめ
　よって、他の相違点について検討するまでもなく、本件発明２は、甲１発明Ｂ並びに甲２〜５及び文献６〜７に記載の周知技術に基いて当業者が容易に発明をすることができたものとはいえない。
４　本件発明３について
４−１　対比
　本件発明３（前者）と甲１発明Ｃ（後者）とを対比する。
　後者の「ベース材２」は、前者の「水溶性糊層」が「形成された」「半透明のライスペーパー」と、“ベース部材”の点で共通する。
　また、後者の「光透過性のプラスチックフィルムで構成されたセパレータ３」、「セパレータ３の貼り付け工程」は、それぞれ、前者の「透明プラスチックフィルム」、「保護シート貼り付け工程」に相当する。
　よって、上記「２−１　対比」での検討を踏まえれば、両者は、
「光透過性を有する保護層、皮膚に転写するマークを表したインク層、及び皮膚に接着させる接着層が積層されてなる転写マークを皮膚に貼り付けて用いるための皮膚用シールの製造方法であって、以下の工程から構成される皮膚用シールの製造方法。
（３Ａ）ベース部材の裏面に透明インクを用いてインク層を覆い隠し得るサイズとなる様に前記保護層を印刷した後、不透明インクを用いて前記保護層の裏面側から当該保護層の内側に収まる様に前記インク層を印刷し、さらに、透明樹脂インクを用いて前記インク層７の裏面側から前記保護層及び前記インク層の裏面を覆う様に前記接着層を印刷する印刷工程。
（３Ｂ）前記印刷工程の後に、前記ベース部材に印刷された転写マークの全体を覆い隠し得るサイズの透明プラスチックフィルムを前記接着層の裏面側に当該接着層の粘着力を利用して貼り付けるセパレータの貼り付け工程。」
の点で一致し、次の各点で相違する。
（相違点１”）
　本件発明３では、
i）皮膚用シールが、「放射線治療の際の目印として用いるための放射線治療用マーカー」であり、
ii）皮膚に転写するマークが、「放射線治療に際し、患者を適切な姿勢で治療用ベッドに寝かせるための目印として用いる直線状のマーク、放射線の照射範囲の境界を表す目印として用いる十字のマーク、及び、患部を特定する目印として用いる丸十字のマークのいずれか一種類のマーク」であるのに対し、甲１発明Ｃでは、皮膚用シールが、皮膚に貼り付けてシミ等を隠すために用いる皮膚シールであり、そのため、マークが、直線状のマーク、十字のマーク、及び、丸十字のマークのいずれかのマークでもない点。
（相違点２”）
　転写マークの転写タイプに関し、本件発明３では、転写マークが「水転写マーク」であり、そのため、ベース部材が「水溶性糊層」が「形成された」「半透明のライスペーパー」であり、「保護層は」「前記水溶性糊層の裏面に」印刷され、また、「湿潤により接着性を発揮する透明樹脂インクを用いて」「接着層を印刷する」のに対し、甲１発明Ｃでは、転写マークが水転写によらないタイプの転写マークであり、そのため、ベース部材は、プラスチックフィルムで構成されたものであって、「水溶性糊層」が「形成された」「半透明のライスペーパー」ではなく、弾性層は「前記水溶性糊層の裏面に」印刷されるものではなく、また、「湿潤により接着性を発揮する透明樹脂インクを用いて」「接着層を印刷する」ものでもない点。
（相違点４）
　本件発明３は、印刷工程において、「台紙に半透明のライスペーパーが積層された所定サイズの複紙の前記ライスペーパー側」に保護層を印刷し、「保護シート貼り付け工程の後に、前記複紙から前記台紙を剥がし取った状態の所定幅の短冊状に切断する切断工程」を備えるのに対し、甲１発明Ｃは、印刷工程において、「台紙に半透明のライスペーパーが積層された所定サイズの複紙の前記ライスペーパー側」に保護層を印刷するものではなく、そのため、「複紙から前記台紙を剥がし取」るものではなく、また、「所定幅の短冊状に切断する切断工程」を備えるのか否か不明な点。
４−２　判断
　事案に鑑み相違点２”について検討するに、甲１発明Ｃにおける転写マーク、即ち、「弾性層６」、「インキ層７」及び「粘着剤層８」を「水転写マーク」に変更すること、また、甲１発明Ｃにおける「光透過性のプラスチックフィルムで構成されたベース材２」を「水溶性糊層」が「形成された」「半透明のライスペーパー」に変更することについて動機付けが見当たらないことは、上記「２−２　判断」にて示したとおりである。
　そうすると、上記「２−２　判断」にて示した理由と同様の理由により、相違点２”に係る本件発明３の特定事項は、甲１発明Ｃ並びに甲２〜５及び文献６〜７に記載の周知技術に基いて当業者が容易に想到することができたものとはいえない。
４−３　まとめ
　よって、他の相違点について検討するまでもなく、本件発明３は、甲１発明Ｃ並びに甲２〜５及び文献６〜７に記載の周知技術に基いて当業者が容易に発明をすることができたものとはいえない。
５　小括
　したがって、本件発明１〜３に係る特許は、取消理由通知書に記載した取消理由によっては、取り消すことができない。
第６　取消理由通知において採用しなかった特許異議申立理由について
　申立人は、特許異議申立書において、本件発明１〜３は、甲２に記載された発明及び甲３〜甲５に記載された技術に基いて、当業者が容易に発明をすることができたものである旨の主張をしているので、以下に検討する。
１　甲２に記載された発明
　甲２には、【請求項１】〜【請求項１７】、【０００１】〜【００５５】の記載があり、【図１】〜【図９】の図示がある。
　これらのうち、【図３】、【図６Ｂ】、【図７Ｂ】、【図８Ｂ】及びその関連記載を特に参照すれば、甲２の記載内容につき、次の事項を認めることができる。
ア）美容部材１００には、離型層１２０、弾性層１８０、転写誘導剤１７０、デザイン層１００、粘着層１４０及び保護フィルム１３０が積層して設けられている（【図３】）。
　また、【図７Ｂ】、【図８Ｂ】には、美容部材１００において、離型層１２０、弾性層１８０及び転写誘導剤１７０が除去されることにより、デザイン層１００及び粘着層１４０のみが皮膚に転写される事項が図示されている。
イ）デザイン層１１０は、インクを含み、皮膚に転写するデザインを施したデザイン層１１０であって（【請求項１】、【請求項５】、【図２】）、皮膚に接着させる粘着層１４０が積層されてなるものである（【図３】）。
　ここで、デザイン層１１０及び粘着層１４０を、以下“転写マーク”と称すれば、美容部材１００は、この転写マークを皮膚に貼り付けて、アイライナーなど別途の美容部材なしに、所望の色相やデザインを身体に適用するためのものである（【０００５】）。
ウ）美容部材１００における離型層１２０側を“表面側”と、また、保護フィルム１３０側を“裏面側”と以下称すれば、美容部材１００は、離型層１２０、弾性層１８０及び転写誘導剤１７０の裏面側に、前記転写マークを形成するものであって、当該転写マークの裏面側に保護フィルム１３０を貼り付けた積層構造を有する（【図３】）。
エ）【図６Ｂ】、【図７Ｂ】によれば、転写マークは、離型層１２０側からも保護フィルム１３０側からも視認可能であるから、離型層１２０、弾性層１８０及び転写誘導剤１７０は全体として光透過性であるといえる。
　同様に保護フィルム１３０は、光透過性のフィルムといえるし、【００４５】の記載も併せみれば、光透過性のプラスチックフィルムで構成されているものといえる。
オ）粘着層１４０は、デザイン層１１０の裏面側に当該デザイン層１１０を覆うように形成されている（【図３】、【図７Ｂ】）
カ）保護フィルム１３０は、粘着層１４０の粘着力により貼り付けられる（【図３】、【００４８】）。
キ）上記ア）〜カ）のとおり、美容部材１００は、いくつかの工程を経て製造されるものといえる。
ク）上記キ）の工程には、次の工程が含まれる。
　離型層１２０、弾性層１８０及び転写誘導剤１７０の裏面側から、デザイン層１１０を印刷する工程（【図３】、【００１１】、【００４４】）。
　転写マークの全体を覆い隠し得るサイズの光透過性のプラスチックフィルムで構成された保護フィルム１３０を前記粘着層１４０の裏面側に当該粘着層の粘着力を利用して貼り付ける粘着層１４０貼り付け工程（【図３】、【００４０】）。
　以上によれば、甲２には、次の各発明が記載されている。
「インクを含み、皮膚に転写するデザインを施したデザイン層１１０及び皮膚に接着させる粘着層１４０が積層されてなる転写マークを皮膚に貼り付けて、アイライナーなど別途の美容部材なしに、所望の色相やデザインを身体に適用するためのものであって、以下の構成をも備えている美容部材１００。
（１Ａ）光透過性である、離型層１２０、弾性層１８０及び転写誘導剤１７０の裏面側に、前記転写マークを形成すると共に、当該転写マークの裏面側に光透過性のプラスチックフィルムで構成された保護フィルム１３０を貼り付けた積層構造を有し、　
前記離型層１２０側からも前記保護フィルム１３０側から前記転写マークを視認可能としていること。
（１Ｂ）前記粘着層１４０は前記デザイン層１００の裏面側に当該デザイン層１４０を覆うように形成されていること。」（以下「甲２発明Ａ」という。）
「インクを含み、皮膚に転写するデザインを施したデザイン層１１０及び皮膚に接着させる粘着層１４０が積層されてなる転写マークを皮膚に貼り付けて、アイライナーなど別途の美容部材なしに、所望の色相やデザインを身体に適用するためのものであって、以下の構成をも備えている美容部材１００。
（２Ａ）光透過性である、離型層１２０、弾性層１８０及び転写誘導剤１７０の裏面側に、前記転写マークを形成すると共に、当該転写マークの裏面側に光透過性のプラスチックフィルムで構成された保護フィルム１３０を貼り付けた積層構造を有し、　
前記離型層１２０側からも前記保護フィルム１３０側から前記転写マークを視認可能としていること。
（２Ｂ）前記粘着層１４０は前記デザイン層１００の裏面側に当該デザイン層１４０を覆うように形成されていること。
（２Ｄ）前記保護フィルム１３０は、前記粘着層１４０の粘着力により貼り付けられていること。」（以下「甲２発明Ｂ」という。）
「インクを含み、皮膚に転写するデザインを施したデザイン層１１０及び皮膚に接着させる粘着層１４０が積層されてなる転写マークを皮膚に貼り付けて、アイライナーなど別途の美容部材なしに、所望の色相やデザインを身体に適用するための美容部材１００の製造方法であって、以下の工程から構成される美容部材１００の製造方法。
（３Ａ）離型層１２０、弾性層１８０及び転写誘導剤１７０の裏面にインクを用いて、デザイン層１１０を印刷する工程。
（３Ｂ）印刷された転写マークの全体を覆い隠し得るサイズの光透過性のプラスチックフィルムで構成された保護フィルム１３０を前記粘着層１４０の裏面側に当該粘着層の粘着力を利用して貼り付ける粘着層１４０貼り付け工程。」（以下「甲２発明Ｃ」という。）
２　本件発明１について
２−１　対比
　本件発明１（前者）と甲２発明Ａ（後者）とを対比する。
ア）後者における「インクを含」む「デザイン層１１０」は、その用語の意味、機能等からみて、前者の「インク層」に相当し、以下同様に、「皮膚に転写するデザイン」は「皮膚に転写するマーク」に、「施した」は「表した」に、「粘着層１４０」は「接着層」に、それぞれ相当する。
　また、後者の「転写マーク」は、“転写マーク”である点で前者の「水転写マーク」と共通し、後者の「アイライナーなど別途の美容部材なしに、所望の色相やデザインを身体に適用するための」「皮膚に貼り付け」る「美容部材１００」は、“皮膚用シール”である点で前者の「皮膚に貼り付けて放射線治療の際の目印として用いるための」「放射線治療用マーカー」と共通する。
イ）後者の「光透過性である、離型層１２０、弾性層１８０及び転写誘導剤１７０」は、“ベース部材”である点で、前者の「裏面に水溶性糊層が形成された半透明のライスペーパーで構成された基台紙」と共通する。
　また、後者の「光透過性のプラスチックフィルムで構成された保護フィルム１３０」は、前者の「透明プラスチックフィルムで構成された保護シート」に相当する。
ウ）後者の「前記離型層１２０側からも前記保護フィルム１３０側から前記転写マークを視認可能としている」は、“前記ベース部材側からも保護シート側からも前記転写マークを視認可能としている”点で、前者の「前記基台紙側からも保護シート側からも前記水転写マークを視認可能としている」と共通する。
エ）後者のインクが不透明であることは自明であるから、後者は、“インク層は不透明インクを用いて形成される”点で、前者と一致する。
　よって、両者は、
「皮膚に転写するマークを施したインク層、及び皮膚に接着させる接着層が積層されてなる転写マークを皮膚に貼り付けて用いるためのものであって、以下の構成をも備えている皮膚用シール。
（１Ａ）ベース部材の裏面側に前記転写マークを形成すると共に、当該転写マークの裏面側に、透明プラスチックフィルムで構成された保護シートを貼り付けた積層構造を有し、前記ベース部材側からも保護シート側からも前記転写マークを視認可能としていること。
（１Ｂ）前記インク層は不透明インクを用いて形成され、前記接着層は前記インク層の裏面側に当該インク層を覆う様に形成されていること。」
の点で一致し、次の各点で相違する。
（相違点５）
　本件発明１では、皮膚用シールが、
i）「放射線治療の際の目印として用いるための所定幅の短冊状の」「放射線治療用マーカー」であり、
ii）転写マークとして、「放射線治療に際し、患者を適切な姿勢で治療用ベッドに寝かせるための目印として用いる直線状のマーク、放射線の照射範囲の境界を表す目印として用いる十字のマーク、及び、患部を特定する目印として用いる丸十字のマークのいずれか一種類のマークを備えると共に」、その転写マークが、「直線状のマークである場合は長手方向に伸びる様に、十字又は丸十字のマークである場合は長手方向に所定間隔で複数個が並ぶ様に、形成されている」ことをも備えているのに対し、甲２発明Ａでは、皮膚用シールが、アイライナーなど別途の美容部材なしに、所望の色相やデザインを身体に適用するための美容部材であり、そのため、転写マークとして、直線状のマーク、十字のマーク、及び、丸十字のマークのいずれをも備えるものではなく、さらに、その形状についても「所定幅の短冊状」とまでの特定のない点。
（相違点６）
　転写マークの転写タイプに関し、本件発明１では、転写マークが「水転写マーク」であり、そのため、ベース部材が「裏面に水溶性糊層が形成された半透明のライスペーパーで構成された基台紙」であり、さらに、「接着層は湿潤により接着性を発揮する透明樹脂インクを用いて」形成されているのに対し、甲２発明Ａでは、転写マークが「水転写マーク」であるとまでの特定はなく、また、ベース部材は、光透過性である、離型層１２０、弾性層１８０及び転写誘導剤１７０から成るものであって「裏面に水溶性糊層が形成された半透明のライスペーパーで構成された基台紙」ではなく、さらに、「接着層は湿潤により接着性を発揮する透明樹脂インクを用いて」形成されているのか否か不明な点。
（相違点７）
　転写マークの積層に関し、本件発明１では、転写マークが、インク層及び粘着層に加え「光透過性を有する保護層」「が積層されてなる」ものであり、そのため、「前記保護層は透明インクを用いて前記水溶性糊層の裏面側に形成され、前記インク層は不透明インクを用いて前記保護層の内側に収まる様に当該保護層の裏面側に形成され、前記接着層は湿潤により接着性を発揮する透明樹脂インクを用いて前記インク層の裏面側に当該インク層及び前記保護層を覆う様に形成されている」のに対し、甲２発明Ａでは、転写マークに「光透過性を有する保護層」が積層されていないため、「前記保護層は透明インクを用いて前記水溶性糊層の裏面側に形成され」ておらず、「インク層は」「保護層の内側に収まる様に当該保護層の裏面側に形成され」るものではなく、また、「接着層は」「保護層を覆う様に形成されている」ものでもない点。
（相違点８）
　本件発明１では、基台紙及び保護シートが、「同一幅・同一長さの短冊状に形成され」ているのに対し、甲２発明Ａでは、ベース材及びセパレータについて、「同一幅・同一長さの短冊状に形成され」とまでの特定のない点。
２−２　判断
　事案に鑑み、相違点６について検討する。
　甲２には、「水転写」に関し、「以前段階で、粘着成分１１９が添加されたデザイン層１１０または別途の粘着層１４０が露出された状態なので、デザイン層１１０を身体２００に粘着させることができる。この際、離型層１２０は、ドライトランスファー（ｄｒｙ  ｔｒａｎｓｆｅｒ）方式またはウォータートランスファー（ｗａｔｅｒ  ｔｒａｎｓｆｅｒ）方式で身体２００に転写されうる。」（【００４９】）なる記載こそあるものの、「ウォータートランスファー（ｗａｔｅｒ  ｔｒａｎｓｆｅｒ）方式で身体２００に転写」するにあたり、甲２発明Ａをどのように改変するのか、特に、甲２発明Ａにおけるベース部材、即ち、離型層１２０、弾性層１８０及び転写誘導剤１７０の３つの層を具体的にどのように改変するかについては、何らの記載も示唆もない。
　ここで、甲２における「弾性層１８０は、弾性が相対的に大きいので、転写時に身体の屈曲に対応しうる。」（【００４１】）、「転写誘導剤１７０は、合成樹脂粒子１７５を含むので、デザイン層１１０を離型層１２０に印刷することが容易であり、・・・」（【００４４】）の各記載によれば、甲２発明Ａの「弾性層１８０」、「転写誘導剤１７０」は、それぞれ特有の機能を奏するための部材であることが分かる。
　そうすると、たとえ甲２に「ウォータートランスファー（ｗａｔｅｒ  ｔｒａｎｓｆｅｒ）方式」との記載があったとしても、甲２発明Ａにおける「弾性層１８０」、「転写誘導剤１７０」がそれぞれ奏する上記特有の機能を捨象した上で、甲２発明Ａにおけるベース部材、即ち、離型層１２０、弾性層１８０及び転写誘導剤１７０の３つの層を、「裏面に水溶性糊層が形成された半透明のライスペーパーで構成された基台紙」に変更すべき動機付けを見出すことはできない。
　また、甲５には、「陶磁器用転写複紙、厚紙の上に剥がせる薄紙（ライスペーパー）が有り、更に薄紙上に水溶性樹脂が塗布された構造の用紙を利用し、電子写真を出力もしくは印刷された面の画像（トナー・インク）を壊さない程度に溶解性を有するよう調整された溶剤で希釈された樹脂を塗布し、更に白色樹脂及び接着性を有する樹脂を混合または個別に塗布、もしくはフィルム状にしたものを貼付して転写する方法とした。」（【０００４】）と、水溶性樹脂が塗布されたライスペーパーが記載されているが、甲５のライスペーパーは、「電子写真及び印刷されたものの有色布地等への転写用途」（【０００１】）に係るものであって、甲２発明Ａとは、その技術分野においても転写のためのシールの積層構造においも共通するところはないのであるから、甲５を参照しても、甲２発明Ａにおける離型層１２０、弾性層１８０及び転写誘導剤１７０の３つの層を、「裏面に水溶性糊層が形成された半透明のライスペーパーで構成された基台紙」に変更すべき動機付けはやはり見当たらない。
　さらに、甲３、甲４にも、相違点６に係る本件発明１の特定事項についての記載はない。
　よって、相違点６に係る本件発明１の特定事項は、甲２発明Ａ及び甲３〜５に記載の技術に基いて当業者が容易に想到することができたものとはいえない。
　そして、本件発明１は、相違点６に係る上記の「水転写マーク」及び「裏面に水溶性糊層が形成された半透明のライスペーパーで構成された基台紙」に加え、「透明プラスチックフィルムで構成された保護シート」を具備することにより、「使用に当たって患者の皮膚に押し付けたときの密着性に支障を来すことがなく、保管中の損傷の恐れも低減することができ、さらに、正確なマーキングが可能でマークの種類の把握も容易な放射線治療用マーカーを提供することができる。」（明細書【００１５】）という特有の作用効果を奏するものである。
２−３　まとめ
　よって、他の相違点について検討するまでもなく、本件発明１は、甲２発明Ａ及び甲３〜５に記載の技術に基いて当業者が容易に発明をすることができたものとはいえない。
３　本件発明２について
３−１　対比
　上記「２−１　対比」における検討を踏まえつつ、本件発明２と甲２発明Ｂとを対比すると、両者は、
「皮膚に転写するマークを施したインク層、及び皮膚に接着させる接着層が積層されてなる転写マークを皮膚に貼り付けて用いるためのものであって、以下の構成をも備えている皮膚用シール。
（１Ａ）光透過性のベース部材の裏面側に前記転写マークを形成すると共に、当該転写マークの裏面側に、透明プラスチックフィルムで構成された保護シートを貼り付けた積層構造を有し、前記ベース部材側からも保護シート側からも前記転写マークを視認可能としていること。
（１Ｂ）前記インク層は不透明インクを用いて形成され、前記接着層は前記インク層の裏面側に当該インク層を覆う様に形成されていること。
（２Ｄ）前記保護シートは、前記接着層の粘着力によって貼り付けられていること。」
の点で一致し、次の各点で相違する。
（相違点５’）本件発明２では、皮膚用シールが、
i）「放射線治療の際の目印として用いるための所定幅の短冊状の」「放射線治療用マーカー」であり、
ii）転写マークが、「放射線治療に際し、放射線の照射範囲の境界を表す目印として用いる十字のマーク、又は、患部を特定する目印として用いる丸十字のマークのいずれかのマークで構成され」、その転写マークが、「基台紙の幅方向一方側に偏って長手方向に所定間隔で並ぶ様に複数個形成されていること」をも備えているのに対し、甲２発明Ｂでは、皮膚用シールが、アイライナーなど別途の美容部材なしに、所望の色相やデザインを身体に適用するための美容部材であり、そのため、転写マークとして、直線状のマーク、十字のマーク、及び、丸十字のマークのいずれをも備えるものではなく、さらに、その形状についても「所定幅の短冊状」とまでの特定のない点。
（相違点６’）
　転写マークの転写タイプに関し、本件発明２では、転写マークが「水転写マーク」であり、そのため、ベース部材が「裏面に水溶性糊層が形成された半透明のライスペーパーで構成された基台紙」であり、また、「接着層は湿潤により接着性を発揮する透明樹脂インクを用いて」形成され、さらに、「保護シートは、」「接着層の存在しない部分では前記基台紙と分離した状態とされている」のに対し、甲２発明Ｂでは、転写マークが「水転写マーク」であるとまでの特定はなく、また、ベース部材は、光透過性である、離型層１２０、弾性層１８０及び転写誘導剤１７０から成るものであって「裏面に水溶性糊層が形成された半透明のライスペーパーで構成された基台紙」ではなく、また、「接着層は湿潤により接着性を発揮する透明樹脂インクを用いて」形成されているのか否か不明であり、さらに、「保護シートは、」「接着層の存在しない部分では前記基台紙と分離した状態とされている」ともいえない点。
（相違点７’）
　転写マークの積層に関し、本件発明２では、転写マークが、インク層及び粘着層に加え「光透過性を有する保護層」「が積層されてなる」ものであり、そのため、「前記保護層は透明インクを用いて前記水溶性糊層の裏面側に形成され、前記インク層は不透明インクを用いて前記保護層の内側に収まる様に当該保護層の裏面側に形成され、前記接着層は湿潤により接着性を発揮する透明樹脂インクを用いて前記インク層の裏面側に当該インク層及び前記保護層を覆う様に形成されている」のに対し、甲２発明Ｂでは、転写マークに「光透過性を有する保護層」が積層されていないため、「前記保護層は透明インクを用いて前記水溶性糊層の裏面側に形成され」ておらず、「インク層は」「保護層の内側に収まる様に当該保護層の裏面側に形成され」るものではなく、また、「接着層は」「保護層を覆う様に形成されている」ものでもない点。
（相違点８’）
　本件発明２では、基台紙及び保護シートが、「同一幅・同一長さの短冊状に形成され」ているのに対し、甲２発明Ｂでは、ベース材及びセパレータについて、「同一幅・同一長さの短冊状に形成され」とまでの特定のない点。
３−２　判断
　事案に鑑み、相違点６’について検討するに、甲２発明Ａにおけるベース部材、即ち、離型層１２０、弾性層１８０及び転写誘導剤１７０の３つの層を、「裏面に水溶性糊層が形成された半透明のライスペーパーで構成された基台紙」に変更すべき動機付けのないことは、上記「２−２　判断」において示したとおりである。
　そうすると、相違点６’に係る本件発明２の特定事項は、甲２発明Ｂ及び甲３〜５に記載の技術に基いて当業者が容易に想到することができたものとはいえない。
３−３　まとめ
　よって、他の相違点について検討するまでもなく、本件発明２は、甲２発明Ｂ及び甲３〜５に記載の技術に基いて当業者が容易に発明をすることができたものとはいえない。
４　本件発明３について
４−１　対比
　本件発明３（前者）と甲２発明Ｃ（後者）とを対比する。
ア）後者の「離型層１２０、弾性層１８０及び転写誘導剤１７０」は、前者の「水溶性糊層」が「形成された」「半透明のライスペーパー」と、“ベース部材”の点で共通する。
イ）甲３発明Ｃにおける「美容部材１００」は、「デザイン層１１０及び皮膚に接着させる粘着層１４０が積層されてなる」のであるから、甲２発明Ｃの「方法」が、「デザイン層１１０を印刷」した後に、デザイン層１１０の裏面側から前記デザイン層１１０の裏面を覆う様に粘着層１４０を形成する工程をも含むことは明らかである。
　してみると、甲２発明Ｃは、“光透過性のベース部材の裏面側に、前記インク層を印刷し、さらに、前記インク層の裏面側から前記インク層の裏面を覆う様に前記接着層を形成する印刷等工程。”を備える点で、本件発明３と共通する。
　よって、上記「２−１　対比」における検討をも踏まえれば、両者は、
「皮膚に転写するマークを表したインク層、及び皮膚に接着させる接着層が積層されてなる転写マークを皮膚に貼り付けて用いるための皮膚用シールの製造方法であって、以下の工程から構成される皮膚用シールの製造方法。
（３Ａ）ベース部材の裏面側に、前記インク層を印刷し、さらに、前記インク層の裏面側から前記インク層の裏面を覆う様に前記接着層を形成する印刷等工程。
（３Ｂ）前記印刷等工程の後に前記転写マークの全体を覆い隠し得るサイズの透明プラスチックフィルムを前記接着層の裏面側に当該接着層の粘着力を利用して貼り付ける保護シート貼り付け工程。」
の点で一致し、次の各点で相違する。
（相違点５”）
　本件発明３では、
i）皮膚用シールが、「放射線治療の際の目印として用いるための放射線治療用マーカー」であり、
ii）皮膚に転写するマークが、「放射線治療に際し、患者を適切な姿勢で治療用ベッドに寝かせるための目印として用いる直線状のマーク、放射線の照射範囲の境界を表す目印として用いる十字のマーク、及び、患部を特定する目印として用いる丸十字のマークのいずれか一種類のマーク」であるのに対し、甲２発明Ｃでは、皮膚用シールが、アイライナーなど別途の美容部材なしに、所望の色相やデザインを身体に適用するための美容部材であり、そのため、マークが、直線状のマーク、十字のマーク、及び、丸十字のマークのいずれかのマークでもない点。
（相違点６”）
　転写マークの転写タイプに関し、本件発明３では、転写マークが「水転写マーク」であり、そのため、ベース部材が、「水溶性糊層」が「形成された」「半透明のライスペーパー」であるのに対し、甲２発明Ｃでは、転写マークが「水転写マーク」であるとまでの特定はなく、また、ベース部材は、離型層１２０、弾性層１８０及び転写誘導剤１７０である点。
（相違点７”）
　本件発明３では、転写マークが、インク層及び粘着層に加え「光透過性を有する保護層」「が積層されてなる」ものであり、そのため、印刷等工程が「台紙に半透明のライスペーパーが積層された所定サイズの複紙の前記ライスペーパー側に形成された水溶性糊層の裏面に透明インクを用いて前記インク層を覆い隠し得るサイズとなる様に前記保護層を印刷した後、不透明インクを用いて前記保護層の裏面側から当該保護層の内側に収まる様に前記インク層を印刷し、さらに、湿潤により接着性を発揮する透明樹脂インクを用いて前記インク層の裏面側から前記保護層及び前記インク層の裏面を覆う様に前記接着層を印刷する印刷工程。」であるのに対し、甲２発明Ｃでは、転写マークに「光透過性を有する保護層」が積層されておらず、そのため、「台紙に半透明のライスペーパーが積層された所定サイズの複紙の前記ライスペーパー側に形成された水溶性糊層の裏面に透明インクを用いて前記インク層を覆い隠し得るサイズとなる様に前記保護層を印刷」する工程、「保護層の裏面側から当該保護層の内側に収まる様に前記インク層を印刷」する工程、「湿潤により接着性を発揮する透明樹脂インクを用いて前記インク層の裏面側から前記保護層及び前記インク層の裏面を覆う様に前記接着層を印刷する」工程のいずれをも備えていない点。
（相違点９）
　本件発明３は、「前記印刷工程の後に前記複紙に印刷された水転写マークの全体を覆い隠し得るサイズの透明プラスチックフィルムを前記接着層の裏面側に当該接着層の粘着力を利用して貼り付ける保護シート貼り付け工程。」及び「前記保護シート貼り付け工程の後に、前記複紙から前記台紙を剥がし取った状態の所定幅の短冊状に切断する切断工程。」を備えるのに対し、甲２発明Ｃでは、貼り付け工程における転写マークは、「複紙に印刷された水転写マーク」ではなく、また、「切断工程」を備えていない点。
４−２　判断
　事案に鑑み、相違点６”について検討するに、甲２発明Ｃにおけるベース部材、即ち、離型層１２０、弾性層１８０及び転写誘導剤１７０の３つの層を、「水溶性糊層」が「形成された」「半透明のライスペーパー」に変更すべき動機付けのないことは、上記「２−２　判断」において示したとおりである。
　そうすると、相違点６”に係る本件発明３の特定事項は、甲２発明Ｃ及び甲３〜５に記載の技術に基いて当業者が容易に想到することができたものとはいえない。
４−３　まとめ
　よって、他の相違点について検討するまでもなく、本件発明３は、甲２発明Ｃ及び甲３〜５に記載の技術に基いて当業者が容易に発明をすることができたものとはいえない。
５　小括
　したがって、本件発明１〜３に係る特許は、申立人による上記の理由によっては、取り消すことができない。
第７　むすび
　以上のとおりであるから、取消理由通知書に記載した取消理由及び証拠並びに特許異議申立書に記載の理由及び証拠によっては、本件特許の請求項１〜３に係る特許を取り消すことはできない。
　また、他に本件特許の請求項１〜３に係る特許を取り消すべき理由を発見しない。
　よって、結論のとおり決定する。
【異議決定日】
令和２年９月３０日（２０２０．９．３０）
【訂正の要旨】
審決（決定）の【理由】欄参照。
（５４）【発明の名称】
放射線治療用マーカー及びその製造方法
【発明の詳細な説明】
　【技術分野】
　【０００１】
　本発明は、放射線治療の際の目印として患者の皮膚にマークを付するための放射線治療用マーカーと、その製造方法に関する。
　【背景技術】
　【０００２】
　従来、表面に治療用の目印となるマークが印刷されている基台紙と、該基台紙の裏面に剥離可能に積層されている透明な保護シート層と、該保護シート層の裏面に積層され、前記基台紙に印刷されたマークと同一のマークを形成するインク層と、該インク層の裏面に積層されている接着層と、該接着層の裏面に剥離可能に積層されている保護紙とによって構成され、前記保護紙を剥がして、前記基台紙に水分を含ませると共に、前記接着層を皮膚に押し当てることにより、前記接着層、インク層及び保護シート層を皮膚側に転写して、各種の治療の際の目印となり、前記保護シート層、インク層及び接着層が皮膚に対して柔軟性に富み、かつ摩擦に強いものである治療用マーカーが知られている（特許文献１）。
　【先行技術文献】
　【特許文献】
　【０００３】
　【特許文献１】　特許第３６０９２８９号公報
　【発明の概要】
　【発明が解決しようとする課題】
　【０００４】
　特許文献１の放射線治療用マーカーは、基台紙表面に印刷したマークにより患者の皮膚にマーキングするラインや十字などのマークの位置や形状を把握しながら水転写作業が可能で、術者や患者の衣服等を汚すことがなく、鮮明で正確な目印をマーキングすることができるという優れたものである。
　【０００５】
　ところで、この種の放射線治療用マーカーは、基台紙の表面へのマークの印刷と、基台紙裏面への保護シート層、インク層、接着層の印刷とを経て製造するため、基台紙は表裏印刷に耐え得るコシの強さを有するものを用いる必要がある。コシの強い基台紙は、保護紙を剥がして接着層を患者の皮膚に押し付ける際に皮膚への密着性が悪くなることが懸念される。一方、基台紙のコシが弱いと保管中の折れ曲がりやマーク自体の損傷が懸念される。
　【０００６】
　そこで、本発明は、使用に当たって患者の皮膚に押し付けたときの密着性に支障を来すことがなく、保管中の損傷等の恐れも低減することができ、さらに、正確なマーキングが可能でマークの種類の把握も容易な放射線治療用マーカーを提供することを目的とする。
　【課題を解決するための手段】
　【０００７】
　上記目的を達成するためになされた本発明の放射線治療用マーカーは、光透過性を有する保護層、皮膚に転写するマークを表したインク層、及び皮膚に接着させる接着層が積層されてなる水転写マークを皮膚に貼り付けて放射線治療の際の目印として用いるための
所定幅の短冊状の
前記水転写マークとして、放射線治療に際し、患者を適切な姿勢で治療用ベッドに寝かせるための目印として用いる直線状のマーク、放射線の照射範囲の境界を表す目印として用いる十字のマーク、及び、患部を特定する目印として用いる丸十字のマークのいずれか一種類のマークを備えると共に、
　（１Ａ）裏面に水溶性糊層が形成された半透明のライスペーパーで構成された基台紙の裏面側に前記水転写マークを形成すると共に、当該水転写マークの裏面側に、透明プラスチックフィルムで構成された保護シートを貼り付けた積層構造を有し、前記基台紙側からも保護シート側からも前記水転写マークを視認可能としていること。
　（１Ｂ）前記保護層は透明インクを用いて前記水溶性糊層の裏面側に形成され、前記インク層は不透明インクを用いて前記保護層の内側に収まる様に当該保護層の裏面側に形成され、前記接着層は湿潤により接着性を発揮する透明樹脂インクを用いて前記インク層の裏面側に当該インク層及び前記保護層を覆う様に形成されていること。
　（１Ｃ）前記基台紙及び前記保護シートが同一幅・同一長さの短冊状に形成され、前記水転写マークが、直線状のマークである場合は長手方向に伸びる様に、十字又は丸十字のマークである場合は長手方向に所定間隔で複数個が並ぶ様に、形成されていること。
　【０００８】
　本発明の放射線治療用マーカーによれば、基台紙が半透明のライスペーパーで構成されると共に保護層が光透過性を有するから、基台紙の表面側から、不透明インクによって形成したインク層が透けて見える。また、基台紙が半透明のライスペーパーであるから、コシが弱く、保護シートを剥がして皮膚に水転写マークを押し付ける際の密着性を妨げることがない。従って、水転写による皮膚への正確なマーキングが可能である。一方、保護シートとして透明プラスチックフィルムを用いているから、放射線治療用マーカーを保管する際の基台紙のコシの弱さをカバーすることができる。加えて、保護シートが透明プラスチックフィルムで構成されると共に、接着層が透明な樹脂インクで形成されているから、裏返しになっていてもマークを視認することができる。この結果、放射線治療用として十字や直線など種々のマークを用いる場合に、適切な放射線治療用マーカーをスムーズに選び出すことができる。なお、保護層とインク層の間、インク層と接着層の間に、光透過性を有する介在層を介在させても構わない。
　【０００９】
　上記目的を達成するためになされた本発明の放射線治療用マーカーは、光透過性を有する保護層、皮膚に転写するマークを表したインク層、及び皮膚に接着させる接着層が積層されてなる水転写マークを皮膚に貼り付けて放射線治療の際の目印として用いるための
所定幅の短冊状の
　（２Ａ）裏面に水溶性糊層が形成された半透明のライスペーパーで構成された基台紙の裏面側に前記水転写マークを形成すると共に、当該水転写マークの裏面側に、透明プラスチックフィルムで構成された保護シートを貼り付けた積層構造を有し
、前記基台紙側からも保護シート側からも前記水転写マークを視認可能と
　（２Ｂ）前記保護層は透明インクを用いて前記水溶性糊層の裏面側に形成され、前記インク層は不透明インクを用いて前記保護層の内側に収まる様に当該保護層の裏面側に形成され、前記接着層は湿潤により接着性を発揮する透明樹脂インクを用いて前記インク層の裏面側に当該インク層及び前記保護層を覆う様に形成されていること。
　（２Ｃ）前記基台紙及び前記保護シートが同一幅・同一長さの短冊状に形成され、前記水転写マーク
が、放射線治療に際し、放射線の照射範囲の境界を表す目印として用いる十字のマーク、又は、患部を特定する目印として用いる丸十字のマークのいずれかの
　（２Ｄ）前記保護シートは、前記接着層の粘着力によって貼り付けられ、当該接着層の存在しない部分では前記基台紙と分離した状態とされていること。
　【００１０】
　かかる構成をも備えた本発明の放射線治療用マーカーによれば、複数個形成された水転写マークの内で必要な個数だけ切り離して用いることができる。この際、本発明の放射線治療用マーカーは、表からも裏からもマークを視認することができるから、切り離し作業を正しく実施することができる。また、短冊状の放射線治療用マーカーにおいて十字等のマークは幅方向一方側に偏って形成されているから、幅方向他方側は余白となっており、基台紙に対して保護シートが分離した状態となる。従って、切り離して小さなチップとなったマーカー片から保護シートを剥がす作業や、保護シートを剥がした後の小さなマーカー片を皮膚に押し付ける際や、水を含ませた基台紙を剥がす際に、この余白部分を指で摘んで作業をすることができる。なお、最初から１個ずつの小さなチップとした場合には保管中に保護シートが剥がれて水転写マークに損傷を与えることもあり得るが、複数個を並べて形成した水転写マークを必要な個数だけ切り離して用いる構成であるから、この様な保管中の保護シートの脱落等を生じ難いという効果もある。
　【００１１】
　上記目的を達成するためになされた本発明の放射線治療用マーカーの製造方法は、光透過性を有する保護層、皮膚に転写するマーク
として、放射線治療に際し、患者を適切な姿勢で治療用ベッドに寝かせるための目印として用いる直線状のマーク、放射線の照射範囲の境界を表す目印として用いる十字のマーク、及び、患部を特定する目印として用いる丸十字のマークのいずれか一種類のマークを
　（３Ａ）台紙に半透明のライスペーパーが積層された所定サイズの複紙の前記ライスペーパー側に形成された水溶性糊層の裏面に透明インクを用いて前記インク層を覆い隠し得るサイズとなる様に前記保護層を印刷した後、不透明インクを用いて前記保護層の裏面側から当該保護層の内側に収まる様に前記インク層を印刷し、さらに、湿潤により接着性を発揮する透明樹脂インクを用いて前記インク層の裏面側から前記保護層及び前記インク層の裏面を覆う様に前記接着層を印刷する印刷工程。
　（３Ｂ）前記印刷工程の後に前記複紙に印刷された水転写マークの全体を覆い隠し得るサイズの透明プラスチックフィルムを前記接着層の裏面側に当該接着層の粘着力を利用して貼り付ける保護シート貼り付け工程。
　（３Ｃ）前記保護シート貼り付け工程の後に、前記複紙から前記台紙を剥がし取った状態の所定幅の短冊状に切断する切断工程。
　【００１２】
　本発明の放射線治療用マーカーの製造方法によれば、（３Ａ）〜（３Ｃ）の工程により、半透明のライスペーパーで構成された基台紙の裏面側に水転写マークが形成されると共に、当該水転写マークの裏面側に透明プラスチックフィルムで構成された保護シートが貼り付けられた積層構造を有する短冊状放射線治療用マーカーを製造することができる。本発明の放射線治療用マーカー
の製造方法
　【００１３】
　ここで、切断工程は、台紙を剥がしてから短冊状に切断する順番としてもよいし、短冊状に切断してから台紙を剥がす順番としてもよい。切断する前に台紙を剥がす順番とした場合は、台紙を剥がす作業が少なくなると共に、台紙を剥がした後は、基台紙側からも保護シート側からも、インク層を視認することができるから、短冊状に切断する際の切断位置の確認が容易で、十字等を複数個備える短冊に切断する際に十字等が短冊の幅方向一方側に偏って並ぶ様に切断する様に位置合わせすることも容易である。また、透明プラスチックフィルムは、複紙と同一サイズとすると貼り付け作業や切断作業が実行し易くなる。なお、最終的に短冊状に切断するから、透明プラスチックフィルムが複紙よりも大きなサイズであっても構わない。
　【００１４】
　本発明の製造方法によって製造された
短冊状
　【発明の効果】
　【００１５】
　本発明によれば、使用に当たって患者の皮膚に押し付けたときの密着性に支障を来すことがなく、保管中の損傷の恐れも低減することができ、さらに、正確なマーキングが可能でマークの種類の把握も容易な放射線治療用マーカーを提供することができる。
　【図面の簡単な説明】
　【００１６】
　【図１】実施例１の放射線治療用マーカーを用いて患者の皮膚に放射線治療用のマークを施した様子を例示する模式図である。
　【図２】実施例１の放射線治療用マーカー（直線）を示し、（Ａ）は要部拡大断面図、（Ｂ）は分解斜視図である。
　【図３】実施例１の放射線治療用マーカー（直線）の六面図及び分解底面図である。
　【図４】実施例１の放射線治療用マーカー（十字）を示し、（Ａ）は要部拡大断面図、（Ｂ）は分解斜視図である。
　【図５】実施例１の放射線治療用マーカー（十字）の六面図及び分解底面図である。
　【図６】実施例１の放射線治療用マーカー（丸十字）を示し、（Ａ）は要部拡大断面図、（Ｂ）は分解斜視図である。
　【図７】実施例１の放射線治療用マーカー（丸十字）の六面図及び分解底面図である。
　【図８】実施例１において直線状のマークを皮膚に施す手順を示す説明図である。
　【図９】実施例１において十字のマークを皮膚に施す手順を示す説明図である。
　【図１０】実施例１において丸十字のマークを皮膚に施す手順を示す説明図である。
　【図１１】実施例１の放射線治療用マーカーの製造工程を示す説明図である。
　【図１２】実施例１の放射線治療用マーカーの印刷工程を示す説明図である。
　【発明を実施するための形態】
　【００１７】
　以下に、本発明を実施するための形態を実施例に基づいて説明する。
　【実施例１】
　【００１８】
　本実施例は、図１に示す様に放射線治療用のマークＡ，Ｂ，Ｃを患者の皮膚に貼り付けるために所定長さに切断して用いる水転写方式の放射線治療用マーカーに関するものである。直線状のマークＡは、患者を適切な姿勢で治療用ベッドに寝かせるための目印として用いるものであり、方向を示す。十字のマークＢは、放射線の照射範囲の境界を表す目印として用いるものであり、位置を特定する。丸十字のマークＣは、患部を特定する目印として用いるものであり、位置を特定する。
　【００１９】
　患者の皮膚に直線状のマークＡを貼り付けるための放射線治療用マーカー１０は、図２に示す様に、保護層１１、皮膚に転写するマークを表したインク層１２、及び皮膚に接着させる接着層１３が積層されてなる水転写マーク１４を、基台紙１５の裏面側に形成すると共に、この水転写マーク１４の裏面側に保護シート１６を貼り付けた積層構造を有している。保護層１１は透明インクを用いて基台紙１５の裏面側に形成され、インク層１２は不透明インクを用いて保護層１１の内側に収まる様に保護層１１の裏面側に形成され、接着層１３は湿潤により接着性を発揮する透明樹脂インクを用いてインク層１２の裏面側にインク層１２及び保護層１１を覆う様に形成されている。
　【００２０】
　この放射線治療用マーカー１０は、図３に示す様に、基台紙１５として半透明のライスペーパーを用い、保護シート１６として透明プラスチックフィルムを用いている。基台紙１５の裏面には水溶性糊層が形成されている。また、基台紙１５及び保護シート１６が同一幅・同一長さの短冊状に形成され、直線状の水転写マーク１４は、幅方向中央に形成されている。保護シート１６は、接着層１３の粘着力によって貼り付けられ、接着層１３の存在しない部分では基台紙１５と分離した状態とされている。
　【００２１】
　患者の皮膚に十字のマークＢを貼り付けるための放射線治療用マーカー２０は、図４に示す様に、保護層２１、皮膚に転写するマークを表したインク層２２、及び皮膚に接着させる接着層２３が積層されてなる水転写マーク２４を、基台紙２５の裏面側に形成すると共に、この水転写マーク２４の裏面側に保護シート２６を貼り付けた積層構造を有している。保護層２１は透明インクを用いて基台紙２５の裏面側に形成され、インク層２２は不透明インクを用いて保護層２１の内側に収まる様に保護層２１の裏面側に形成され、接着層２３は湿潤により接着性を発揮する透明樹脂インクを用いてインク層２２の裏面側にインク層２２及び保護層２１を覆う様に形成されている。
　【００２２】
　この放射線治療用マーカー２０は、図５に示す様に、基台紙２５として半透明のライスペーパーを用い、保護シート２６として透明プラスチックフィルムを用いている。基台紙２５の裏面には水溶性糊層が形成されている。また、基台紙２５及び保護シート２６が同一幅・同一長さの短冊状に形成され、十字の水転写マーク２４が、基台紙２５の幅方向一方側に偏って長手方向に所定間隔で並ぶ様に８個形成されている。保護シート２６は、接着層２３の粘着力によって貼り付けられ、接着層２３の存在しない部分では基台紙２５と分離した状態とされている。
　【００２３】
　患者の皮膚に丸十字のマークＣを貼り付けるための放射線治療用マーカー３０は、図６に示す様に、保護層３１、皮膚に転写するマークを表したインク層３２、及び皮膚に接着させる接着層３３が積層されてなる水転写マーク３４を、基台紙２５の裏面側に形成すると共に、この水転写マーク２４の裏面側に保護シート３６を貼り付けた積層構造を有している。保護層３１は透明インクを用いて基台紙３５の裏面側に形成され、インク層３２は不透明インクを用いて保護層３１の内側に収まる様に保護層３１の裏面側に形成され、接着層３３は湿潤により接着性を発揮する透明樹脂インクを用いてインク層３２の裏面側にインク層３２及び保護層３１を覆う様に形成されている。
　【００２４】
　この放射線治療用マーカー３０は、図７に示す様に、基台紙３５として半透明のライスペーパーを用い、保護シート３６として透明プラスチックフィルムを用いている。基台紙３５の裏面には水溶性糊層が形成されている。また、基台紙３５及び保護シート３６が同一幅・同一長さの短冊状に形成され、丸十字の水転写マーク３４が、基台紙２５の幅方向一方側に偏って長手方向に所定間隔で並ぶ様に８個形成されている。保護シート３６は、接着層３３の粘着力によって貼り付けられ、接着層３３の存在しない部分では基台紙３５と分離した状態とされている。
　【００２５】
　なお、作図の都合上、図２（Ａ），図４（Ａ），図６（Ａ）では、保護層１１，２１，３１及び接着層１３，２３，３３に対してインク層１２，２２，３２が食い込んでいる様に表しているが、後述の製造工程から明らかな様に、保護層１１，２１，３１と接着層１３，２３，３３とがインク層１２，２２，３２を表裏から挟み込む様に密着した状態となっている。また、保護層１１，２１，３１とインク層１２，２２，３２の間、インク層１２，２２，３２と接着層１３，２３，３３の間に、光透過性を有する介在層を介在させても構わない。
　【００２６】
　放射線治療用マーカー１０，２０，３０は、図８〜図１０に示す様に、鋏で切断してマーカー片１０ａ，２０ａ，３０ａとした後、保護シート１６，２６，３６を剥がし、基台紙１５，２５，３５を表にして皮膚に押し付ける様にして位置決めし、水を含んだ脱脂綿等を用いて基台紙１５，２５，３５に水を含ませた後、基台紙１５，２５，３５を剥がしてマークＡ，Ｂ，Ｃを皮膚に転写する様にして貼り付ける。なお、放射線治療用マーカー２０，３０は、位置を特定するマークＢ，Ｃを患者の皮膚に転写するためのものであるから、図９，図１０に示した様に、水転写マーク２４，３４が単体となる様に切断して用いる。放射線治療用マーカー１０は、患者を治療用ベッドに正しい姿勢で寝かせるための方向を示すマークＡを患者の皮膚に転写するためのものであるから、図８に示す様に、所望の長さに切断して用いるが、切断することなく用いても構わない。
　【００２７】
　次に、これら放射線治療用マーカー１０，２０，３０の製造方法を、放射線治療用マーカー２０を例に、図１１，図１２に基づいて説明する。
　【００２８】
　まず、基台紙２５となる半透明のライスペーパーが裏面側に台紙４０が積層されたＡ４サイズの複紙を用意する。本実施例では、丸繁紙工株式会社の複紙（台紙＋ライスペーパー、製品名：ＤＰ（厚さ０．２３ｍｍ））を用いた。
　【００２９】
　図１１（Ａ）に示す様に、ライスペーパー（基台紙２５）側を印刷面とし、でんぷん糊をコーティングして乾燥させ、ライスペーパー（基台紙２５）の裏面側に水溶性糊層を形成する。
　【００３０】
　次に、図１１（Ｂ），図１２（Ａ）に示す様に、スクリーン印刷により、透明インク（帝国インキ製造株式会社のポリエステル銘板用印刷インキ、製品名：ＥＧスクリーンインキ）を用いて、水溶性糊層の裏面側に保護層２１を形成する。
　【００３１】
　次に、図１１（Ｃ），図１２（Ｂ）に示す様に、スクリーン印刷により、黒色インク（株式会社永瀬スクリーン印刷研究所のスクリーン印刷用インキ、製品名：フジロン　黒（希釈溶剤、同社の製品名：エイトソルベント　遅乾））を用いて、保護層２１の裏面側に、当該保護層２１の内側に収まる様にインク層２２を形成する。
　【００３２】
　次に、図１１（Ｄ），図１２（Ｃ）に示す様に、スクリーン印刷により、湿潤により接着性を発揮する透明樹脂インク（名古屋スリーボンド株式会社の製品銘：リキダイン　ＴＨＢ−１０２）を用いて、インク層２２の裏面側に、インク層２２及び保護層２１を覆う様に接着層２３を形成する。
　【００３３】
　次に、図１１（Ｅ）に示す様に、Ａ４サイズの透明な保護シート２６を接着層２３の裏面側に貼り付ける。本実施例では、リンテック株式会社のポリプロピレンシート、製品名：ＳＰ−ＰＰ−４０）を保護シート２６として用いた。
　【００３４】
　次に、図１１（Ｆ）に示す様に、台紙４０を剥がし、さらに、図１１（Ｇ）に示す様に、所定幅の切断線５０にて短冊状に切断する。これにより、図１１（Ｈ）に示す様に、放射線治療用マーカー２０を製造する。
　【００３５】
　上述した実施例の放射線治療用マーカーの製造方法によれば、皮膚に貼り付ける際のコシの弱さを有するライスペーパーであっても、印刷工程においては台紙４０によってコシが確保されているから、適正な形状の保護層１１，２１，３１、インク層１２，２２，３２、及び接着層１３，２３，３３を重ね印刷することができる。そして、保護シート５０を貼り付けた後に台紙４０を剥がすから、印刷によって形成した水転写マーク１４，２４，３４を損傷させることなく台紙４０を剥がし取ることができる。こうして台紙４０を剥がした後は、基台紙１５，２５，３５側からも保護シート１６，２６，３６側からもインク層１２，２２，３２を視認することができるから、短冊状に切断する際の切断位置の確認が容易で、十字等を複数個備える短冊に切断する際に十字等が短冊の幅方向一方側に偏って並ぶ様に切断する様に位置合わせすることも容易である。また、複紙と透明プラスチックフィルムが同一サイズであるから、貼り付け作業や切断作業における位置合わせが容易である。
　【００３６】
　実施例の放射線治療用マーカー１０，２０，３０によれば、基台紙１５，２５，３５が半透明のライスペーパーで構成されると共に保護層１１，２１，３１が透明であるから、図３，図５，図７に示した様に、基台紙１５，２５，３５の表面側から、黒色インクによって形成したインク層１２，２２，３２が透けて見える。また、基台紙１５，２５，３５が半透明のライスペーパーであるから、コシが弱く、図８〜図１０に示した様に、保護シート１６，２６，３６を剥がして皮膚に水転写マーク１４，２４，３４を押し付ける際の密着性を妨げることがない。従って、水転写による皮膚への正確なマーキングが可能である。一方、保護シート１６，２６，３６として透明プラスチックフィルムを用いているから、放射線治療用マーカー１０，２０，３０を保管する際の基台紙１５，２５，３５のコシの弱さをカバーすることができる。加えて、保護シート１６，２６，３６が透明プラスチックフィルムで構成されると共に、接着層１３，２３，３３が透明な樹脂インクで形成されているから、図３，図５，図７の底面図に示す様に、裏返しになっていてもマークを視認することができる。この結果、放射線治療用として十字や直線など種々のマークＡ，Ｂ，Ｃを用いる場合に、適切な放射線治療用マーカー１０，２０，３０をスムーズに選び出すことができる。
　【００３７】
　また、十字のマークＢを患者の皮膚に転写するための放射線治療用マーカー２０、及び丸十字のマークＣを患者の皮膚に転写するための放射線治療用マーカー３０によれば、複数個形成された水転写マーク２４，３４の内で必要な個数だけ切り離して用いることができる。この際、放射線治療用マーカー２０，３０は、表からも裏からも水転写マーク２４，３４を視認することができるから、切り離し作業を正しく実施することができる。また、短冊状の放射線治療用マーカー２０，３０において十字，丸十字の水転写マーク２４，３４は幅方向一方側に偏って形成されているから、幅方向他方側は余白となっており、基台紙２５，３５に対して保護シート２６，３６が分離した状態となる。従って、図９，図１０に示した様に、切り離して小さなチップとなったマーカー片２０ａ，３０ａから保護シート２６，３６を剥がす作業や、保護シート２６，３６を剥がした後の小さなマーカー片２０ａ，３０ａを皮膚に押し付ける際や、水を含ませた基台紙２５，３５を剥がす際に、この余白部分を指で摘んで作業をすることができる。そして、複数個を並べて形成した水転写マーク２４，３４を必要な個数だけ切り離して用いる構成であるから、保管中の保護シート２６，３６の脱落等を生じ難いという効果もある。
　【００３８】
　この様に、実施例の放射線治療用の製造方法によれば、保管し易く、皮膚に貼り付けたり水を含ませた基台紙を剥がしたりする作業が容易で、正確なマーキングが可能でマークの種類の把握も容易な放射線治療用マーカー１０，２０，３０を製造することができる。そして、実施例の放射線治療用マーカー１０，２０，３０によれば、使用に当たって患者の皮膚に押し付けたときの密着性に支障を来すことがなく、保管中の損傷の恐れも低減することができ、さらに、正確なマーキングが可能でマークの種類の把握も容易な放射線治療用マーカーを提供することができる。
　【００３９】
　この様に、実施例によれば、保管し易く、皮膚に貼り付けたり水を含ませた基台紙１５，２５，３５を剥がしたりする作業が容易で、正確なマーキングが可能でマークの種類の把握も容易な放射線治療用マーカー１０，２０，３０を製造することができ、これら放射線治療用マーカー１０，２０，３０は、使用に当たって患者の皮膚に押し付けたときの密着性に支障を来すことがなく、保管中の損傷の恐れも低減することができ、さらに、正確なマーキングが可能でマークの種類の把握も容易なものである。
　【００４０】
　以上、本発明の実施例を説明したが、本発明はこれに限定されるものではなく、その要旨を逸脱しない範囲内で種々に実施することができる。
　【００４１】
　例えば、製造方法において用いる複紙及び透明プラスチックフィルムはＡ４サイズ同士に限らず、プラスチックフィルムの方が複紙よりも大きなサイズであってもよい。また、インクの種類も実施例にあげたものに限らず、不透明インクの色も半透明のライスペーパーを透かして視認可能な色であれば黒インクに限らない。加えて、保護シートとして、ＰＥＴなどポリプロピレン以外の透明プラスチックフィルムを用いて差し支えない。さらに、製造方法において、短冊状に切断した後に台紙４０を剥がす様にしても構わない。
　【産業上の利用可能性】
　【００４２】
　本発明は、放射線治療の際の目印を付する作業に用いることができる。
　【符号の説明】
　【００４３】
　Ａ，Ｂ，Ｃ・・・放射線治療用のマーク、１０，２０，３０・・・放射線治療用マーカー、１０ａ，２０ａ，３０ａ・・・マーカー片、１１，２１，３１・・・保護層、１２，２２，３２・・・インク層、１３，２３，３３・・・接着層、１４，２４，３４・・・水転写マーク、１５，２５，３５・・・基台紙（ライスペーパー）、１６，２６，３６・・・保護シート（透明プラスチックフィルム）、４０・・・台紙、５０・・・切断線。
（５７）【特許請求の範囲】
　【請求項１】
　光透過性を有する保護層、皮膚に転写するマークを表したインク層、及び皮膚に接着させる接着層が積層されてなる水転写マークを皮膚に貼り付けて放射線治療の際の目印として用いるための
所定幅の短冊状の
前記水転写マークとして、放射線治療に際し、患者を適切な姿勢で治療用ベッドに寝かせるための目印として用いる直線状のマーク、放射線の照射範囲の境界を表す目印として用いる十字のマーク、及び、患部を特定する目印として用いる丸十字のマークのいずれか一種類のマークを備えると共に、
　（１Ａ）裏面に水溶性糊層が形成された半透明のライスペーパーで構成された基台紙の裏面側に前記水転写マークを形成すると共に、当該水転写マークの裏面側に、透明プラスチックフィルムで構成された保護シートを貼り付けた積層構造を有し、前記基台紙側からも保護シート側からも前記水転写マークを視認可能としていること。
　（１Ｂ）前記保護層は透明インクを用いて前記水溶性糊層の裏面側に形成され、前記インク層は不透明インクを用いて前記保護層の内側に収まる様に当該保護層の裏面側に形成され、前記接着層は湿潤により接着性を発揮する透明樹脂インクを用いて前記インク層の裏面側に当該インク層及び前記保護層を覆う様に形成されていること。
　（１Ｃ）前記基台紙及び前記保護シートが同一幅・同一長さの短冊状に形成され、前記水転写マークが、直線状のマークである場合は長手方向に伸びる様に、十字又は丸十字のマークである場合は長手方向に所定間隔で複数個が並ぶ様に、形成されていること。
　【請求項２】
　光透過性を有する保護層、皮膚に転写するマークを表したインク層、及び皮膚に接着させる接着層が積層されてなる水転写マークを皮膚に貼り付けて放射線治療の際の目印として用いるための
所定幅の短冊状の
　（２Ａ）裏面に水溶性糊層が形成された半透明のライスペーパーで構成された基台紙の裏面側に前記水転写マークを形成すると共に、当該水転写マークの裏面側に、透明プラスチックフィルムで構成された保護シートを貼り付けた積層構造を有し
、前記基台紙側からも保護シート側からも前記水転写マークを視認可能と
　（２Ｂ）前記保護層は透明インクを用いて前記水溶性糊層の裏面側に形成され、前記インク層は不透明インクを用いて前記保護層の内側に収まる様に当該保護層の裏面側に形成され、前記接着層は湿潤により接着性を発揮する透明樹脂インクを用いて前記インク層の裏面側に当該インク層及び前記保護層を覆う様に形成されていること。
　（２Ｃ）前記基台紙及び前記保護シートが同一幅・同一長さの短冊状に形成され、前記水転写マーク
が、放射線治療に際し、放射線の照射範囲の境界を表す目印として用いる十字のマーク、又は、患部を特定する目印として用いる丸十字のマークのいずれかの
　（２Ｄ）前記保護シートは、前記接着層の粘着力によって貼り付けられ、当該接着層の存在しない部分では前記基台紙と分離した状態とされていること。
　【請求項３】
　光透過性を有する保護層、皮膚に転写するマーク
として、放射線治療に際し、患者を適切な姿勢で治療用ベッドに寝かせるための目印として用いる直線状のマーク、放射線の照射範囲の境界を表す目印として用いる十字のマーク、及び、患部を特定する目印として用いる丸十字のマークのいずれか一種類のマークを
　（３Ａ）台紙に半透明のライスペーパーが積層された所定サイズの複紙の前記ライスペーパー側に形成された水溶性糊層の裏面に透明インクを用いて前記インク層を覆い隠し得るサイズとなる様に前記保護層を印刷した後、不透明インクを用いて前記保護層の裏面側から当該保護層の内側に収まる様に前記インク層を印刷し、さらに、湿潤により接着性を発揮する透明樹脂インクを用いて前記インク層の裏面側から前記保護層及び前記インク層の裏面を覆う様に前記接着層を印刷する印刷工程。
　（３Ｂ）前記印刷工程の後に前記複紙に印刷された水転写マークの全体を覆い隠し得るサイズの透明プラスチックフィルムを前記接着層の裏面側に当該接着層の粘着力を利用して貼り付ける保護シート貼り付け工程。
　（３Ｃ）前記保護シート貼り付け工程の後に、前記複紙から前記台紙を剥がし取った状態の所定幅の短冊状に切断する切断工程。